(57)【要約】【課題】運転訓練時における応答時間のリアルタイム性を確保し、より実機の運転に近い形で運転訓練を行うことができる発電プラントの運転訓練システムとこの運転訓練サービス提供方法およびその保守サービス方法を提供する。【解決手段】発電プラント運転訓練システム１０は、少なくとも１台以上の運転訓練装置１１と、運転訓練装置１１に運転訓練用データを提供するシミュレーションデータセンタ１２とを具備し、運転訓練装置１１とシミュレーションデータセンタ１２とは、通信ネットワーク１３を介して電子データの授受が可能に構成されており、運転訓練装置１１は、シミュレーションを実行するシミュレーション計算機１７を備え、前記シミュレーションデータセンタ１２からダウンロードした運転訓練用データをシミュレーション計算機１７が実行することにより、シミュレーションによる運転訓練を行い得るよう構成されたことを特徴とする。【選択図】  図１
2005308808.tif 000002
【特許請求の範囲】
【請求項１】
少なくとも１台以上の運転訓練装置と、運転訓練装置に運転訓練用データを提供するシミュレーションデータセンタとを具備し、運転訓練装置とシミュレーションデータセンタとは、通信ネットワークを介して電子データの授受が可能に構成されており、
前記運転訓練装置は、シミュレーションを実行するシミュレーション計算機を備え、前記シミュレーションデータセンタからダウンロードした運転訓練用データを前記シミュレーション計算機が実行することにより、シミュレーションによる運転訓練を行い得るよう構成されたことを特徴とする発電プラント運転訓練システム。
【請求項２】
前記運転訓練装置側に運転訓練員を指導する指導員が操作を行う少なくとも１以上のインストラクタ手段を備えることを特徴とする請求項１記載の発電プラント運転訓練システム。
【請求項３】
前記シミュレーションデータセンタ側に運転訓練員を指導する指導員が操作を行う少なくとも１以上のインストラクタ手段を備えることを特徴とする請求項１記載の発電プラント運転訓練システム。
【請求項４】
前記シミュレーションデータセンタは、外部から電子データを受信し、受信したデータを記録手段に記録するデータ受信手段と、記録手段に保存された電子データを外部に送信可能に構成されたデータ伝送手段とを備え、
前記データ受信手段が前記運転訓練装置側で行われた運転訓練結果を受信可能に構成される一方、前記データ伝送手段は、受信した運転訓練結果に基づき採点された採点結果を前記シミュレーションデータセンタ側から前記運転訓練結果の送信元に送信可能に構成されたことを特徴とする請求項１記載の発電プラント運転訓練システム。
【請求項５】
前記運転訓練装置は、信号伝送経路を、実機運転操作盤から実機制御装置までおよびシミュレーション計算機までの一方に切り替え自在な信号切替手段を備え、前記実機運転操作盤を運転訓練に使用可能に構成されたことを特徴とする請求項１記載の発電プラント運転訓練システム。
【請求項６】
前記運転訓練装置は、ダウンロードした運転訓練用データに制御用コンピュータをシミュレーションする制御用コンピュータモデルデータを有し、制御用コンピュータを模擬した運転訓練を行い得るよう構成されたことを特徴とする請求項１記載の発電プラント運転訓練システム。
【請求項７】
前記運転訓練装置は、ダウンロードした運転訓練用データに制御盤の機能をシミュレーションにより実現する制御盤モデルデータを有し、実機では制御盤に表示されるプラント監視用データを、表示手段に模擬表示して運転訓練を行い得るよう構成されたことを特徴とする請求項１記載の発電プラント運転訓練システム。
【請求項８】
前記運転訓練装置は、実測値データおよびリプレイデータのデータ変換を行う際に使用されるデータ変換テーブルのダウンロードと、
前記リプレイデータおよび変換テーブルからのリプレイ画像データの作成と、
作成されたリプレイ画像の再生とを可能に構成されたことを特徴とする請求項１記載の発電プラント運転訓練システム。
【請求項９】
前記運転訓練装置は、外部から電子データを受信し、受信したデータをデータ記録手段に記録するダウンロードデータ伝送手段と、
データ記録手段に保存された電子データを外部に送信可能に構成されたデータ送信手段とを備え、
このデータ送信手段は、前記運転訓練装置で行った運転訓練結果を前記シミュレーションデータセンタ側に送信可能に構成する一方、
前記ダウンロードデータ伝送手段は、運転訓練結果に基づいて前記シミュレーションデータセンタ側で採点された採点結果を前記シミュレーションデータセンタ側から受信可能に構成されたことを特徴とする請求項１記載の発電プラント運転訓練システム。
【請求項１０】
前記シミュレーションデータセンタは、電子データを前記運転訓練装置に配信する運転訓練用データサーバを備え、
この運転訓練用データサーバは、ダウンロード要求のあった運転訓練用データをダウンロード要求のあった運転訓練装置に配信する際の料金を計算する料金計算手段を備えており、
この料金計算手段は、料金算出データベースおよび顧客情報データベースを参照し、前記シミュレーションデータセンタが前記運転訓練装置に配信するデータ量、ダウンロード回数および使用期間並びに、前記データ受信手段が受信した前記運転訓練装置に配信された前記運転訓練用データの使用積算時間のうちの少なくとも一つに応じて課金した料金をデータ配信先の運転訓練装置側に請求するように構成されたことを特徴とする請求項１記載の発電プラント運転訓練システム。
【請求項１１】
前記シミュレーションデータセンタは、前記運転訓練装置に電子データを配信する運転訓練用データサーバを備え、この運転訓練用データサーバの記録手段には、前記運転訓練装置の保守に関する情報を記録し格納する保守情報データベースと、保守サービスを提供する上での規定を記録したサービス規定データとが格納されており、前記保守情報データベースおよびサービス規定データをアップロードして前記運転訓練装置側に保守情報および保守サービス情報を提供可能に構成されることを特徴とする請求項１記載の発電プラント運転訓練システム。
【請求項１２】
前記シミュレーションデータセンタは、電子データを前記運転訓練装置に配信する運転訓練用データサーバを備え、
この運転訓練用データサーバは、保守サービス要求のあった運転訓練装置側に保守サービスを提供する際の料金を計算する料金計算手段を備えており、
この料金計算手段は、顧客情報を記録した顧客情報データベースおよび保守サービスを提供する上での規定を記録したサービス規定データを参照して提供する保守サービスの料金を計算することを特徴とする請求項１記載の発電プラント運転訓練システム。
【請求項１３】
運転訓練装置側でシミュレーション実行手順の実行に必要な運転訓練用データを前記シミュレーション実行手順の実行に先立って配信する運転訓練用データ配信手順であり、
この運転訓練用データ配信手順は、ダウンロード要求を受信すると、ダウンロード要求内容を確認してダウンロードを許可するか否かを判定するダウンロード可否判定行程と、
ダウンロード可否判定行程の判定結果を運転訓練装置に送信して通知するダウンロード可否判定結果通知送信行程と、
ダウンロードを許可した場合にダウンロード要求のあった運転訓練用データを送信する料金を計算する料金計算行程と、
ダウンロードを許可した場合にダウンロード要求のあった運転訓練用データを運転訓練装置に送信するダウンロード要求運転訓練用データ送信行程とを備えることを特徴とする発電プラント運転訓練サービス提供方法。
【請求項１４】
ダウンロード要求運転訓練用データ送信行程は、運転訓練装置側に変換テーブルを配信する変換テーブル配信ステップを有することを特徴とする請求項１３記載の発電プラント運転訓練サービス提供方法。
【請求項１５】
運転訓練装置側でシミュレーション実行手順を実行する際に、シミュレーションデータサーバ側から運転訓練装置側でシミュレーション実行手順を実行している運転訓練員の指導を行うインストラクタ制御処理行程を行うことを特徴とする請求項１３記載の発電プラント運転訓練サービス提供方法。
【請求項１６】
運転訓練装置側からの保守サービス要求を受け付けた後、保守サービス要求の対象となる運転訓練装置をシミュレーションデータセンタ側から遠隔で操作してシミュレーション状況データの採取を行い、採取したシミュレーション状況データを使用してシミュレーションデータセンタ側でシミュレーション動作の動作検証を行うことを特徴とする発電プラント運転訓練システムの保守サービス提供方法。
【請求項１７】
シミュレーションデータセンタ側が保有する運転訓練装置の保守に関する情報を記録し格納する保守情報データベースおよび保守サービスを提供する上での規定を記録したサービス規定データをアップロードして運転訓練装置側に保守情報および保守サービス情報を提供することを特徴とする発電プラント運転訓練システムの保守サービス提供方法。
【請求項１８】
運転訓練装置側からの保守サービス要求を受け付けた後、保守サービス要求のあった運転訓練装置側に保守サービスを提供し、保守サービスの提供に際する料金を算出する料金計算行程であり、この料金計算行程は、顧客情報を記録した顧客情報データベースおよび保守サービスを提供する上での規定を記録したサービス規定データを参照し、参照したサービス規定に基づき、保守サービスの提供に際する料金を計算することを特徴とする発電プラント運転訓練システムの保守サービス提供方法。
【発明の詳細な説明】
【技術分野】
【０００１】
本発明は、実際の現象等を模擬した訓練システム、このシステムにおける訓練サービスおよび保守サービス提供方法に係り、特に、発電プラントにおける実機を模擬し、運転訓練時における応答時間のリアルタイム性を確保したプラント運転訓練システム、この運転訓練システムにおける運転訓練サービスおよび保守サービス提供方法に関する。
【背景技術】
【０００２】
図４３に従来の発電プラントの運転訓練システムの一実施例である発電プラントの運転訓練システム（以下、発電プラント運転訓練システムとする。）１の構成概略を表すシステム構成概略図を示す。
【０００３】
発電プラント運転訓練システム１は、１以上の発電会社２，３と、これらの発電会社２，３に配置される端末装置、各種プラント運転訓練用シミュレーションモデルを保有するサービスセンタ４とを通信ネットワーク５を介して電気的に接続して構成される。
【０００４】
発電プラント運転訓練システム１による発電プラントの運転訓練を行う場合には、発電会社２，３に配置される端末装置から通信ネットワーク５を通じてサービスセンタ４に接続し、その端末装置を操作してサービスセンタ４が保有する各種発電プラントの運転訓練用シミュレーションモデルの中から希望のシミュレーションモデルを選択する。すると、選択したシミュレーションモデルに該当する発電プラントの運転訓練を発電会社２，３に配置される端末装置から操作することで行うことができる。
【０００５】
上述した発電プラントの運転訓練システムの一例は、特開２００２−３３３８２４号公報に掲載されている。（例えば、特許文献１参照）。
【特許文献１】特開２００２−３３３８２４号公報（明細書段落番号［０００１］，［０００８］〜［０００９］，［００１７］〜［００１８］，図１）
【発明の開示】
【発明が解決しようとする課題】
【０００６】
従来の発電プラント運転訓練システム１では、ユーザである発電会社２，３は、サービスタセンタ４と運転訓練に必要なソフトウエアおよびデータの授受をオンライン、リアルタイムで行う必要がある。このような通信ネットワーク５を介した遠隔でのデータの授受を行う方式では、データの送受信にある一定の時間（以下、通信時間とする。）を要するうえ、さらに、通信ネットワーク５の混雑やサービスセンタ４のコンピュータの混雑の具合により、通信時間が変動する。
【０００７】
通信時間の変動は、運転訓練システム１において模擬するプラント機器の各種プラント状態量の応答時間を変動させるため、同じ状態から同じ運転操作を行った場合においても、運転訓練システム１による運転訓練時には、各種プラント状態量の応答時間が異なる時間とならざるを得ない。従って、運転訓練時と実際のプラント機器の運転時とでは、各種プラント状態量の応答時間が異なる時間となることも少なくなく、実際の運転と運転訓練との間に少なからずの乖離があった（これをリアルタイム性を欠くと呼ぶ）。
【０００８】
また、運転訓練中はサービスセンタ１４とユーザが使用する端末との間でデータ通信を連続して行う必要があるため、この間の通信費用が発生する。従って、運転訓練システム１のユーザである発電会社２，３は、自社の運転員の訓練結果として、現状の運転スキルがどのくらいにあるのかを把握するのはもちろんのこと、どのくらいの時間訓練したのかについても管理する必要がある。さらに、運転訓練システム１についての保守も必要であり、運転訓練システム１および自社の運転員を管理する管理業務に労力と費用がかる。
【０００９】
一方、保守サービスについては、不適合対応、機能アップデート対応、カスタムオーダ対応等の受付から見積、作業および代金徴収までの保守サービス業務について、迅速かつ正確な対応を要求される。しかしながら、運転訓練システム１の保守サービスは、不具合対応を例にした場合、不具合状況の確認を電話、電子メール、ＦＡＸ等の書面、出張により行っているため、正確な状況の把握に多大な時間を要し、特に迅速な対応という面で困難であった。
【００１０】
本発明に係る発電プラントの運転訓練システムとこの運転訓練サービス提供方法およびその保守サービス方法は、上述した事情を考慮してなされたものであり、運転訓練時における応答時間のリアルタイム性を確保し、より実機の運転に近い形で運転訓練を行うことができる発電プラントの運転訓練システムとこの運転訓練サービス提供方法およびその保守サービス方法を提供することを目的とする。
【００１１】
また、本発明の他の目的は、プラントの運転訓練システムおよび運転員の管理業務の負担軽減を図るプラントの運転訓練システムとこの運転訓練サービス提供方法およびその保守サービス方法を提供することにある。
【００１２】
さらに、本発明の他の目的は、不適合対応、機能アップデート対応、カスタムオーダ対応等の受付から見積、作業および代金徴収までの保守サービス業務について、迅速かつ正確な対応を行い得るプラントの運転訓練システムとこの運転訓練サービス提供方法およびその保守サービス方法を提供することにある。
【課題を解決するための手段】
【００１３】
本発明に係る発電プラント運転訓練システムは、上述した課題を解決するために、請求項１に記載したように、少なくとも１台以上の運転訓練装置と、運転訓練装置に運転訓練用データを提供するシミュレーションデータセンタとを具備し、運転訓練装置とシミュレーションデータセンタとは、通信ネットワークを介して電子データの授受が可能に構成されており、前記運転訓練装置は、シミュレーションを実行するシミュレーション計算機を備え、前記シミュレーションデータセンタからダウンロードした運転訓練用データを前記シミュレーション計算機が実行することにより、シミュレーションによる運転訓練を行い得るよう構成されたことを特徴とする。
【００１４】
上述した課題を解決するために、本発明に係る発電プラント運転訓練システムは、請求項２に記載したように、前記運転訓練装置側に運転訓練員を指導する指導員が操作を行う少なくとも１以上のインストラクタ手段を備えることを特徴とする。また、請求項３に記載したように、前記シミュレーションデータセンタ側に運転訓練員を指導する指導員が操作を行う少なくとも１以上のインストラクタ手段を備えることを特徴とする。
【００１５】
また、上述した課題を解決するために、本発明に係る発電プラント運転訓練システムは、請求項４に記載したように、前記シミュレーションデータセンタは、外部から電子データを受信し、受信したデータを記録手段に記録するデータ受信手段と、記録手段に保存された電子データを外部に送信可能に構成されたデータ伝送手段とを備え、前記データ受信手段が前記運転訓練装置側で行われた運転訓練結果を受信可能に構成される一方、前記データ伝送手段は、受信した運転訓練結果に基づき採点された採点結果を前記シミュレーションデータセンタ側から前記運転訓練結果の送信元に送信可能に構成されたことを特徴とする。
【００１６】
さらに、上述した課題を解決するために、本発明に係る発電プラント運転訓練システムは、請求項５に記載したように、前記運転訓練装置は、信号伝送経路を、実機運転操作盤から実機制御装置までおよびシミュレーション計算機までの一方に切り替え自在な信号切替手段を備え、前記実機運転操作盤を運転訓練に使用可能に構成されたことを特徴とする。
【００１７】
さらにまた、上述した課題を解決するために、本発明に係る発電プラント運転訓練システムは、請求項６に記載したように、前記運転訓練装置は、ダウンロードした運転訓練用データに制御用コンピュータをシミュレーションする制御用コンピュータモデルデータを有し、制御用コンピュータを模擬した運転訓練を行い得るよう構成されたことを特徴とする。
【００１８】
一方、上述した課題を解決するために、本発明に係る発電プラント運転訓練システムは、請求項７に記載したように、前記運転訓練装置は、ダウンロードした運転訓練用データに制御盤の機能をシミュレーションにより実現する制御盤モデルデータを有し、実機では制御盤に表示されるプラント監視用データを、表示手段に模擬表示して運転訓練を行い得るよう構成されたことを特徴とする。
【００１９】
また、上述した課題を解決するために、本発明に係る発電プラント運転訓練システムは、請求項８に記載したように、前記運転訓練装置は、実測値データおよびリプレイデータのデータ変換を行う際に使用されるデータ変換テーブルのダウンロードと、前記リプレイデータおよび変換テーブルからのリプレイ画像データの作成と、作成されたリプレイ画像の再生とを可能に構成されたことを特徴とする。
【００２０】
さらに、上述した課題を解決するために、本発明に係る発電プラント運転訓練システムは、請求項９に記載したように、前記運転訓練装置は、外部から電子データを受信し、受信したデータをデータ記録手段に記録するダウンロードデータ伝送手段と、データ記録手段に保存された電子データを外部に送信可能に構成されたデータ送信手段とを備え、このデータ送信手段は、前記運転訓練装置で行った運転訓練結果を前記シミュレーションデータセンタ側に送信可能に構成する一方、前記ダウンロードデータ伝送手段は、運転訓練結果に基づいて前記シミュレーションデータセンタ側で採点された採点結果を前記シミュレーションデータセンタ側から受信可能に構成されたことを特徴とする。
【００２１】
さらにまた、上述した課題を解決するために、本発明に係る発電プラント運転訓練システムは、請求項１０に記載したように、前記シミュレーションデータセンタは、電子データを前記運転訓練装置に配信する運転訓練用データサーバを備え、この運転訓練用データサーバは、ダウンロード要求のあった運転訓練用データをダウンロード要求のあった運転訓練装置に配信する際の料金を計算する料金計算手段を備えており、この料金計算手段は、料金算出データベースおよび顧客情報データベースを参照し、前記シミュレーションデータセンタが前記運転訓練装置に配信するデータ量、ダウンロード回数および使用期間並びに、前記データ受信手段が受信した前記運転訓練装置に配信された前記運転訓練用データの使用積算時間のうちの少なくとも一つに応じて課金した料金をデータ配信先の運転訓練装置側に請求するように構成されたことを特徴とする。
【００２２】
また、上述した課題を解決するために、本発明に係る発電プラント運転訓練システムは、請求項１１に記載したように、前記シミュレーションデータセンタは、前記運転訓練装置に電子データを配信する運転訓練用データサーバを備え、この運転訓練用データサーバの記録手段には、前記運転訓練装置の保守に関する情報を記録し格納する保守情報データベースと、保守サービスを提供する上での規定を記録したサービス規定データとが格納されており、前記保守情報データベースおよびサービス規定データをアップロードして前記運転訓練装置側に保守情報および保守サービス情報を提供可能に構成されることを特徴とする。
【００２３】
さらに、上述した課題を解決するために、本発明に係る発電プラント運転訓練システムは、請求項１２に記載したように、前記シミュレーションデータセンタは、電子データを前記運転訓練装置に配信する運転訓練用データサーバを備え、この運転訓練用データサーバは、保守サービス要求のあった運転訓練装置側に保守サービスを提供する際の料金を計算する料金計算手段を備えており、この料金計算手段は、顧客情報を記録した顧客情報データベースおよび保守サービスを提供する上での規定を記録したサービス規定データを参照して提供する保守サービスの料金を計算することを特徴とする。
【００２４】
本発明に係る発電プラント運転訓練サービス提供方法は、上述した課題を解決するために、請求項１３に記載したように、運転訓練装置側でシミュレーション実行手順の実行に必要な運転訓練用データを前記シミュレーション実行手順の実行に先立って配信する運転訓練用データ配信手順であり、この運転訓練用データ配信手順は、ダウンロード要求を受信すると、ダウンロード要求内容を確認してダウンロードを許可するか否かを判定するダウンロード可否判定行程と、ダウンロード可否判定行程の判定結果を運転訓練装置に送信して通知するダウンロード可否判定結果通知送信行程と、ダウンロードを許可した場合にダウンロード要求のあった運転訓練用データを送信する料金を計算する料金計算行程と、ダウンロードを許可した場合にダウンロード要求のあった運転訓練用データを運転訓練装置に送信するダウンロード要求運転訓練用データ送信行程とを備えることを特徴とする。
【００２５】
また、上述した課題を解決するために、本発明に係る発電プラント運転訓練サービス提供方法は、請求項１４に記載したように、ダウンロード要求運転訓練用データ送信行程は、運転訓練装置側に変換テーブルを配信する変換テーブル配信ステップを有する。
【００２６】
さらに、上述した課題を解決するために、本発明に係る発電プラント運転訓練サービス提供方法は、請求項１５に記載したように、運転訓練装置側でシミュレーション実行手順を実行する際に、シミュレーションデータサーバ側から運転訓練装置側でシミュレーション実行手順を実行している運転訓練員の指導を行うインストラクタ制御処理行程を行うことを特徴とする。
【００２７】
さらにまた、上述した課題を解決するために、本発明に係る発電プラント運転訓練サービス提供方法は、請求項１６に記載したように、運転訓練装置側からの保守サービス要求を受け付けた後、保守サービス要求の対象となる運転訓練装置をシミュレーションデータセンタ側から遠隔で操作してシミュレーション状況データの採取を行い、採取したシミュレーション状況データを使用してシミュレーションデータセンタ側でシミュレーション動作の動作検証を行うことを特徴とする。
【００２８】
また、上述した課題を解決するために、本発明に係る発電プラント運転訓練サービス提供方法は、請求項１７に記載したように、シミュレーションデータセンタ側が保有する運転訓練装置の保守に関する情報を記録し格納する保守情報データベースおよび保守サービスを提供する上での規定を記録したサービス規定データをアップロードして運転訓練装置側に保守情報および保守サービス情報を提供することを特徴とする。
【００２９】
さらに、上述した課題を解決するために、本発明に係る発電プラント運転訓練サービス提供方法は、請求項１８に記載したように、運転訓練装置側からの保守サービス要求を受け付けた後、保守サービス要求のあった運転訓練装置側に保守サービスを提供し、保守サービスの提供に際する料金を算出する料金計算行程であり、この料金計算行程は、顧客情報を記録した顧客情報データベースおよび保守サービスを提供する上での規定を記録したサービス規定データを参照し、参照したサービス規定に基づき、保守サービスの提供に際する料金を計算することを特徴とする。
【発明の効果】
【００３０】
本発明に係る発電プラントの運転訓練システムによれば、運転訓練の実施に必要な各発電プラントについての運転訓練用データを事前にダウンロードして保存するので、シミュレーションデータセンタとのデータ通信を行うことなく運転訓練を実施できる。従って、運転訓練時にデータの授受を、通信ネットワークを介して行わないので、実機を想定した運転訓練として十分なリアルタイム性を確保し、より実機の運転に近い形で運転訓練を行うことができる。
【００３１】
また、シミュレーションデータセンタ側で運転訓練員の指導や教育履歴データの管理を行うことができるので、運転訓練装置（ユーザ）側では、運転訓練員の指導や教育履歴データの管理に要する費用を削減することができ、運転員の管理業務の負担軽減を図ることができる。
【００３２】
さらに、シミュレーションデータセンタを、運転訓練サービスを提供するユーザ側の運転訓練装置を遠隔で操作可能に構成したり、シミュレーションデータセンタにシミュレーションの動作検証手段を備えたり、シミュレーションデータセンタからＷｅｂによる保守サービスの受付や情報提供を行うことで、運転訓練装置（ユーザ）側の不適合対応、機能アップデート対応、カスタムオーダ対応等の受付から見積、作業および代金徴収までの保守サービス業務について、迅速かつ正確な対応をすることができる。
【発明を実施するための最良の形態】
【００３３】
以下、本発明に係る発電プラントの運転訓練システム、この運転訓練システムにおける運転訓練サービスおよび保守サービス提供方法について図面を参照して説明する。
【００３４】
図１に本発明に係る発電プラント運転訓練システムの基本的なシステム構成を概略的に表す基本システム構成概略図である。
【００３５】
図１に示す発電プラント運転訓練システム１０は、本発明に係るプラント運転訓練システムの一実施例であり、図１によれば、発電プラント運転訓練システム１０は、少なくとも１台以上の運転訓練装置１１と、運転訓練装置１１に発電プラントの運転訓練シミュレーション用の電子データ（以下、運転訓練用データとする。）を提供するシミュレーションデータセンタ１２とを具備し、運転訓練装置１１とシミュレーションデータセンタ１２とは、通信ネットワーク１３を介して電子データの授受が可能に構成される。
【００３６】
運転訓練装置１１は、コンピュータまたは運転訓練用に製造したプラント模擬装置であり、シミュレーションデータセンタ１２から通信ネットワーク１３を介して発電プラントの運転訓練用データを遠隔で受信、すなわち、ダウンロード（以下、ＤＬと省略する。）してコンピュータまたはプラント模擬装置を運転訓練装置として機能させることで実現される。
【００３７】
シミュレーションデータセンタ１２は、運転訓練用データをデータベース（以下、ＤＢと省略する。）化した運転訓練用シミュレーションＤＢ１４を保有しており、運転訓練装置１１からの要求に応じて、要求のあった運転訓練装置１１に発電プラントの運転訓練シミュレーションを行ううえで必要な運転訓練用データを提供する。
【００３８】
本発明に係る発電プラントの運転訓練システムの基本構成は、多くの実施形態において、図１に示すようになるが、各実施形態で発電プラント運転訓練システム１０に具備される運転訓練装置１１およびシミュレーションデータセンタ１２の構成、作用および効果が相違する。そこで、各実施形態の説明においては、作用および効果が相違する運転訓練装置１１およびシミュレーションデータセンタ１２について説明し、各実施形態に係る発電プラント運転訓練システム１０Ａ，１０Ｂ，１０Ｃ，１０Ｄ，１０Ｅ，１０Ｆ，１０Ｇの基本構成の概略図は、特に構成要素が異ならない限り、図１において符号を読み替えて省略するものとする。
【００３９】
［第１の実施形態］
図１に示す発電プラント運転訓練システム１０の基本構成概略図において符号を読み替えて、本発明の第１の実施形態に係る発電プラント運転訓練システムの一実施例である発電プラント運転訓練システム１０Ａのシステム構成概略を説明する。
【００４０】
発電プラント運転訓練システム１０Ａは、少なくとも１台以上の運転訓練装置１１Ａと、シミュレーションデータセンタ１２Ａとを具備し、運転訓練装置１１Ａとシミュレーションデータセンタ１２Ａとが、通信ネットワーク１３を介して電子データの授受が可能に構成されている。すなわち、図１において、発電プラント運転訓練システム１０を発電プラント運転訓練システム１０Ａ、運転訓練装置１１を運転訓練装置１１Ａ、そして、シミュレーションデータセンタ１２をシミュレーションデータセンタ１２Ａと読み替えれば、読み替えた図１が発電プラント運転訓練システム１０Ａにおけるシステム構成概略図となる。
【００４１】
図２に発電プラント運転訓練システム１０Ａにおける運転訓練装置１１Ａの構成概略を示す構成概略図を示す。
【００４２】
図２に示す運転訓練装置１１Ａは、図外の外部機器から通信ネットワーク１３を介してなされ得る不正アクセスによる攻撃から運転訓練装置１１Ａを保護するとともに電子情報の漏洩を防止するセキュリティ管理手段１６と、シミュレーションデータセンタ１２Ａから受信した運転訓練用データを演算処理して発電プラントを模擬するシミュレーション用計算機１７と、ユーザが運転訓練として運転操作を行う運転訓練操作手段としての運転訓練操作装置１８と、運転訓練業務を管理するための管理端末１９とを備える。
【００４３】
シミュレーション用計算機１７は、電子データを記録し保存するデータ記録手段２１と、シミュレーションデータセンタ１２Ａから通信ネットワーク１３およびセキュリティ管理手段１６を経由して運転訓練用データ等の電子データをＤＬ（受信）し、ＤＬしたデータをデータ記録手段２１に記録するＤＬデータ伝送手段２２と、データ記録手段２１に保存される電子データを読み出して演算処理を行う演算処理手段２３と、外部機器との電気的な接続を行うインターフェース（以下、Ｉ／Ｆとする。）手段２４と、表示出力する表示手段としてのディスプレイ２５を備える。
【００４４】
尚、ＤＬデータ伝送手段２２は、シミュレーションデータセンタ１２Ａからの電子データをＤＬすると説明しているが、ＤＬデータ伝送手段２２が電子データを受信できる相手は、シミュレーションデータセンタ１２Ａに限定されるものではなく、シミュレーションデータセンタ１２Ａを含むシミュレーション用計算機１７の外部全般から電子データを受信可能に構成されている。
【００４５】
運転訓練操作装置１８は、シミュレーション用計算機１７と電気的に接続されており、運転訓練操作装置１８から入力した入力内容は、シミュレーション用計算機１７のＩ／Ｆ手段２４を介して演算処理手段２３が認識する。また、運転訓練操作装置１８は、より実機に近い運転操作を訓練するべく、実機のプラント運転装置とほぼ同等の機能を有し、ディスプレイ等の表示部やプラント実機を制御する制御盤を有する。
【００４６】
管理端末１９は、運転訓練の計画および実施等の運転訓練業務を管理する端末である。発電プラント運転訓練を行う場合、管理端末１９を操作することによってシミュレーションデータセンタ１２Ａに対して運転訓練用データのＤＬ要求を行う。
【００４７】
尚、運転訓練装置１１Ａは、セキュリティ管理手段１６を備えているが、運転訓練を行う上では、必須の構成要件ではない。あくまでも、図外の外部機器から通信ネットワーク１３を介してなされ得る不正アクセスによる攻撃から運転訓練装置１１Ａを保護するとともに電子情報の漏洩を防止する安全対策上備えられるものである。
【００４８】
また、以降の実施形態に係る運転訓練装置１１においても、セキュリティ管理手段１６を備えているが、データをＤＬする安全対策として運転訓練装置１１に備えられる点については同様である。
【００４９】
図３に発電プラント運転訓練システム１０Ａにおけるシミュレーションデータセンタ１２Ａの構成概略を示す構成概略図を示す。
【００５０】
図３に示すシミュレーションデータセンタ１２Ａは、図外の外部機器から通信ネットワーク１３を介してなされ得る不正アクセスによる攻撃からシミュレーションデータセンタ１２Ａを保護するとともに電子情報の漏洩を防止するセキュリティ管理手段２６と、格納する運転訓練用データを運転訓練装置１１Ａに提供する運転訓練用データサーバ２７とを備える。
【００５１】
運転訓練用データサーバ２７は、電子データを保存し格納する記録手段３０と、電子データの配信を担うデータ伝送手段３１と、受信したＤＬ要求が事前に認証登録した要求内容と合致するか否かを判断するアクセス管理手段３２と、ＤＬ要求のあった運転訓練用データを配信する際の料金を計算する料金計算手段としてのＤＬ料金計算手段３３とを備える。尚、データ伝送手段３１が電子データの配信を行い得る配信（送信）先は、運転訓練装置１１Ａを含む運転訓練用データサーバ２７の外部全般である。
【００５２】
記録手段３０には、運転訓練装置１１Ａで運転訓練を行うために必要な運転訓練用データを発電プラント毎に作成してＤＢ化した運転訓練用シミュレーションＤＢ１４と、アクセス管理手段３２が妥当なＤＬ要求か否かを判断するべく参照する顧客情報（顧客名、契約期間、契約内容等）としての顧客情報ＤＢ３４とが記録され格納されている。
【００５３】
また、運転訓練用シミュレーションＤＢ１４は、少なくとも１以上の運転訓練用データを保有しており、図３に図示する例でいえば、３つの発電プラントをシミュレーションした運転訓練用データ３６，３７，３８を保有する。
【００５４】
ここで、図３において示される３つの運転訓練用データ３６，３７，３８のうち、第１の発電プラントをシミュレーションした運転訓練用データを第１の運転訓練用データ３６とし、以下同様に、第２の発電プラントをシミュレーションした運転訓練用データを第２の運転訓練用データ３７、第３の発電プラントをシミュレーションした運転訓練用データを第３の運転訓練用データ３８とする。
【００５５】
尚、シミュレーションデータセンタ１２Ａは、セキュリティ管理手段２６を備えているが、運転訓練装置１１Ａに備えられるセキュリティ管理手段１６と本質的には同様のものであり、運転訓練を行う上では、必須の構成要件ではない。また、以降の実施形態に係るシミュレーションデータセンタ１２においても、同様である。
【００５６】
このように構成される発電プラント運転訓練システム１０Ａは、発電プラントの運転訓練を行うユーザに対して運転訓練サービスを提供する発電プラント運転訓練サービス提供方法を行うことができる。続いて、発電プラント運転訓練システム１０Ａが発電プラントの運転訓練を行うユーザに対して運転訓練サービスを提供する発電プラント運転訓練サービス提供方法について処理手順を追って説明する。
【００５７】
図４は、発電プラント運転訓練システム１０Ａにおいて、ユーザが実施したい発電プラントの運転訓練を可能とする発電プラント運転訓練サービス提供方法について処理手順を追って説明する処理フロー図である。
【００５８】
図４によれば、発電プラント運転訓練システム１０Ａにおいて、ユーザが発電プラントの運転訓練を行う場合、ユーザ側の運転訓練装置１１Ａが、まず、運転訓練を実施したい発電プラントを運転訓練するのに必要な運転訓練用データをＤＬして取得する運転訓練用データ取得手順（ステップＳ１）を行い、シミュレーションデータセンタ１２Ａから配信される運転訓練用データを受信した運転訓練装置１１Ａは、受信した運転訓練用データを保存する。
【００５９】
ユーザ側の運転訓練装置１１ＡがステップＳ１において運転訓練用データ取得手順を実行し、運転訓練用データのＤＬ要求をシミュレーションデータセンタ１２Ａが受信すると、シミュレーションデータセンタ１２Ａは、ＤＬ要求のあった運転訓練用データをユーザ側である運転訓練装置１１Ａに配信し提供する運転訓練用データ配信手順（ステップＳ２）を実行する。そして、運転訓練装置１１Ａが運転訓練するのに必要な運転訓練用データを受信（ＤＬ）してデータ記録手段２１に保存したら、運転訓練用データ取得手順（ステップＳ１）は完了する。
【００６０】
運転訓練用データ取得手順（ステップＳ１）が完了したら、運転訓練装置１１Ａは、運転訓練実施要求を受け付け、運転訓練実施要求があると、要求のある発電プラントのシミュレーションを行うための運転訓練用データを読み出して、運転訓練を開始するシミュレーション実行手順を行う。
【００６１】
図４に示す各処理手順（ステップＳ１〜ステップＳ２）について、さらに詳細を説明すれば、ステップＳ１の運転訓練用データ取得手順は、運転訓練を実施したい発電プラントを運転訓練するのに必要な運転訓練用データについてシミュレーションデータセンタ１２ＡへＤＬ要求する運転訓練用データＤＬ要求行程（ステップＳ１１）と、ＤＬ要求が許可された場合に、その旨を通知すると共にシミュレーションデータセンタ１２Ａから配信される運転訓練用データを受信して保存する運転訓練用データＤＬ行程（ステップＳ１２）と、ＤＬ要求が許可されなかった場合にその旨を通知するＤＬ要求否認表示行程（ステップＳ１３）とを備える。
【００６２】
運転訓練装置１１Ａが運転訓練用データ取得手順を実行すると、まず、ステップＳ１１で運転訓練用データＤＬ要求行程を実行する。運転訓練用データＤＬ要求行程では、まず、図２に示す運転訓練装置１１Ａの管理端末１９がユーザからのＤＬ要求の入力を受け付ける。入力された運転訓練用データのＤＬ要求は、発電プラント単位で行い、例えば、第１の発電プラントについて運転訓練を行いたい場合には、図３に示す運転訓練用データ３６をＤＬする要求を行う。
【００６３】
運転訓練用データのＤＬ要求が管理端末１９から運転訓練装置１１Ａのセキュリティ管理手段１６を経由して運転訓練装置１１Ａの外部へ出力され、通信ネットワーク１３を経由してシミュレーションデータセンタ１２Ａに送信される。
【００６４】
運転訓練用データのＤＬ要求がシミュレーションデータセンタ１２Ａに送信されると、運転訓練用データＤＬ要求行程は完了し、運転訓練用データＤＬ要求行程が完了すると、運転訓練装置１１Ａは運転訓練用データのデータ受信（ＤＬ）待機状態となる。一方、シミュレーションデータセンタ１２Ａは、運転訓練装置１１Ａから出力された運転訓練用データのＤＬ要求を通信ネットワーク１３を介して受信し、ステップＳ２の運転訓練用データ配信手順を行う。
【００６５】
運転訓練用データ配信手順（ステップＳ２）は、ＤＬ要求を受信すると、ＤＬ要求内容を確認してＤＬを許可するか否かを判定するＤＬ可否判定行程（ステップＳ２１）と、ＤＬ可否判定行程の判定結果を運転訓練装置１１Ａに送信して通知するＤＬ可否判定結果通知送信行程（ステップＳ２２、ステップＳ２５）と、ＤＬを許可した場合にＤＬ要求のあった運転訓練用データを送信する料金を計算する料金計算行程（ステップＳ２３）と、運転訓練装置１１Ａに送信するＤＬ要求運転訓練用データ送信行程（ステップＳ２４）とを備える。
【００６６】
また、運転訓練用データ配信手順のＤＬ可否判定結果通知行程は、ＤＬを許可する旨の判定結果を運転訓練装置１１Ａに送信して通知するＤＬ許可通知送信ステップ（ステップＳ２２）と、ＤＬを否認する旨の判定結果を運転訓練装置１１Ａに送信して通知するＤＬ否認通知送信ステップ（ステップＳ２５）とを有する。
【００６７】
図４に示すように運転訓練用データ配信手順は、運転訓練装置１１Ａから通信ネットワーク１３を経由して送信される運転訓練用データのＤＬ要求をセキュリティ管理手段２６を介して、運転訓練用データサーバ２７が受信すると、その処理行程が開始される。
【００６８】
運転訓練用データのＤＬ要求の受信は、運転訓練用データサーバ２７のデータ伝送手段３１が受信し、アクセス管理手段３２に受信したＤＬ要求を出力することでなされる。データ伝送手段３１が受信したＤＬ要求をアクセス管理手段３２に出力し、アクセス管理手段３２がＤＬ要求の受信を認識すると、運転訓練用データ配信手順が開始され、ステップＳ２１に進む。そして、ステップＳ２１でＤＬ可否判定行程がなされる。
【００６９】
ＤＬ可否判定行程は、アクセス管理手段３２が受信したＤＬ要求と記録手段３０に格納される顧客情報ＤＢ３４とを参照し、受信したＤＬ要求の顧客情報と参照した顧客情報とが一致しているか否かで妥当なＤＬ要求か否かを判断する。妥当なＤＬ要求か否かの判断は、ＤＬ要求をしている運転訓練装置１１Ａ、すなわちユーザが事前に契約した内容の範囲内でＤＬ要求をしているか否かを判断することで行う。
【００７０】
アクセス管理手段３２が受信したＤＬ要求の顧客情報と参照した顧客情報とが一致しているか否かを判断すると、ステップＳ２１のＤＬ可否判定行程を完了し、次に、ＤＬ可否判定結果通知送信行程を行う。ＤＬ可否判定結果通知送信行程は、ＤＬ可否判定行程の判定結果と１対１に対応する２つの処理ステップ（ステップＳ２２、ステップＳ２５）を有しているため、ＤＬ可否判定行程の判定結果によって、ＤＬ可否判定結果通知送信行程でなされる処理ステップは異なっている。
【００７１】
ＤＬ可否判定行程において、運転訓練装置１１Ａから妥当なＤＬ要求がなされている場合（ステップＳ２１でＹＥＳの場合）、ステップＳ２２に進み、ステップＳ２２でＤＬ許可通知送信ステップを実行する。ＤＬ許可通知送信ステップでは、アクセス管理手段３２がＤＬを許可する旨の判定結果（以下、ＤＬ許可通知とする）をユーザに通知するべくデータ伝送手段３１にＤＬ許可通知データを出力する。
【００７２】
アクセス管理手段３２がＤＬ許可通知データをデータ伝送手段３１に出力すると、データ伝送手段３１は、受信したＤＬ許可通知データをセキュリティ管理手段２６へ出力し、ＤＬ許可通知データを受信したセキュリティ管理手段２６は、セキュリティのチェックをした後、問題が無ければ受信したＤＬ許可通知データをセキュリティ管理手段２６から通信ネットワーク１３を介して運転訓練装置１１Ａへ送信する。
【００７３】
ＤＬ許可通知データがセキュリティ管理手段２６から運転訓練装置１１Ａへ送信されると、ステップＳ２２を完了してステップＳ２３に進む。そして、ステップＳ２３で料金計算行程を行う。料金計算行程では、ＤＬ料金計算手段３３がＤＬ要求のあった運転訓練用データについてシミュレーションデータセンタ１２でＤＬ料金を計算する。尚、ＤＬ料金の課金に関するシステム構成および方法については、第９の実施形態および第１０の実施形態で詳細を後述する。
【００７４】
ＤＬ料金計算手段３３がＤＬ料金を計算すると、ステップＳ２４の料金計算行程を完了してステップＳ２５に進む。そして、ステップＳ２５でＤＬ要求運転訓練用データ送信行程がなされる。ＤＬ要求運転訓練用データ送信行程では、アクセス管理手段３２がＤＬ要求のあった運転訓練用データを記録手段３０に格納される運転訓練用シミュレーションＤＢ１４から読み出してデータ伝送手段３１に出力する。
【００７５】
運転訓練用データがデータ伝送手段３１に出力されると、データ伝送手段３１は、受信した運転訓練用データをセキュリティ管理手段２６へ出力し、セキュリティチェックをした後、問題が無ければ受信した運転訓練用データをセキュリティ管理手段２６から通信ネットワーク１３を介して運転訓練装置１１Ａへ送信する。
【００７６】
受信した運転訓練用データがセキュリティ管理手段２６から送信されると、ステップＳ２４を完了し、ＤＬ要求のあった運転訓練用データがユーザ（運転訓練装置１１Ａ）へ提供される。ステップＳ２４のＤＬ要求運転訓練用データ送信行程の完了をもって、運転訓練用データ配信手順は完了する。
【００７７】
一方、ステップＳ２１のＤＬ可否判定行程において、運転訓練装置１１Ａから妥当なＤＬ要求がなされていない場合（ステップＳ２１でＮＯの場合）、ステップＳ２５に進み、ステップＳ２５でＤＬ否認通知送信ステップを実行する。ＤＬ否認通知送信ステップでは、アクセス管理手段３２がＤＬ要求を破棄してＤＬを否認する旨の判定結果（以下、ＤＬ否認通知とする）を運転訓練装置１１Ａに通知するべくＤＬ否認通知データを送信する。
【００７８】
アクセス管理手段３２がＤＬ要求を破棄してＤＬ否認通知データが運転訓練装置１１Ａに送信されると、ステップＳ２５を完了する。運転訓練装置１１Ａから妥当なＤＬ要求がなされていない場合（ステップＳ２１でＮＯの場合）、ユーザ（運転訓練装置１１Ａ）にはＤＬ否認通知データが送信されるのみで、ＤＬ要求した運転訓練用データは提供されない。そして、ステップＳ２５のＤＬ否認通知送信ステップが完了すると、運転訓練用データ配信手順が終了する。
【００７９】
シミュレーションデータセンタ１２Ａが運転訓練用データ配信手順を実行し、運転訓練装置１１Ａに運転訓練用データが配信されると、ステップＳ１の運転訓練用データ取得手順における運転訓練用データＤＬ行程（ステップＳ１２）を実行する。運転訓練用データＤＬ行程では、シミュレーションデータセンタ１２Ａから配信される運転訓練用データを運転訓練装置１１Ａが受信する。受信した運転訓練用データは、図２に示す運転訓練装置１１Ａにおいて、シミュレーション用計算機１７のＤＬ伝送手段２２が受信し、受信した運転訓練用データをデータ記録手段２１に記録し保存する。
【００８０】
ステップＳ１１の運転訓練用データＤＬ要求行程において、第１の発電プラントの運転訓練を実施するべくＤＬを要求した場合、図２に示されるようにシミュレーション用計算機１７のデータ記録手段２１には第１の運転訓練用データ３６が格納される。図２によれば、第１の運転訓練用データ３６は、プロセスモデルデータ４３と、ロジックモデルデータ４５と、シミュレーション制御データ４６と、Ｉ／ＯＤＢ４７と、マルファンクションＤＢ４８と、スケジューリングファイル４９とを有する。
【００８１】
第１の運転訓練用データ３６に格納されるプロセスモデルデータ４３とは、第１の発電プラントにおけるプロセスのモデルを定義するデータである。ロジックモデルデータ４５とは、第１の発電プラントの制御機能のモデルを定義するデータである。シミュレーション制御データ４６とは、第１の発電プラントのシミュレーション機能を定義するデータである。
【００８２】
また、Ｉ／Ｏデータベース４７とは、第１の発電プラントの入出力データの定義情報をもつＤＢ、マルファンクションＤＢ４８とは、第１の発電プラントの故障状態を定義したＤＢ、スケジューリングデータ４９とは、運転訓練のシナリオを定義したデータである。
【００８３】
シミュレーションデータセンタ１２Ａから配信される運転訓練用データをシミュレーション用計算機１７のデータ記録手段２１に保存すると、ステップＳ１２の運転訓練用データＤＬ行程は完了し、運転訓練用データＤＬ行程の完了をもってステップＳ１の運転訓練用データ取得手順は終了する。
【００８４】
運転訓練用データ取得手順が終了し、運転訓練するのに必要な運転訓練用データを運転訓練装置１１ＡにＤＬしたら、運転訓練装置１１Ａによる運転訓練は、運転訓練を実施したい時にユーザが運転訓練装置１１Ａに運転訓練の実施要求を入力することで、運転訓練装置１１Ａが、シミュレーション実行手順を実施してユーザは運転訓練を実施することができる。運転訓練の実施要求を入力する際には、管理端末１９から入力操作を行う。管理端末１９から運転訓練の実施要求の入力操作を行うと、入力された運転訓練の実施要求は、シミュレーション用計算機１７に入力される。
【００８５】
シミュレーション実行手順では、運転訓練装置１１Ａが運転訓練実施要求を認識すると、まず、運転訓練実施待機状態となる。運転訓練実施待機状態とは、ユーザからの入力操作により運転訓練の開始要求があると、発電プラントのシミュレーションを開始し実行する状態にあることをいう。運転訓練装置１１Ａが運転訓練実施待機状態となると、続いて、訓練開始要求の有無について判断がなされる。
【００８６】
運転訓練装置１１Ａが運転訓練実施待機状態にある場合において、訓練開始要求を運転訓練装置１１Ａが認識すると、実行要求のあった発電プラントのシミュレーションを開始して、シミュレーション用計算機１７の演算処理手段２３が所定の発電プラントをシミュレーションするシミュレータとして機能する。つまり、ユーザ（運転訓練員）は、運転訓練操作装置１８から運転操作の入力を行うことで運転訓練装置１１Ａでの運転訓練を実施できる。
【００８７】
シミュレーション実行手順を終了する場合には、運転訓練実施要求の入力と同様にして管理端末１９から運転訓練の終了要求を入力することで行う。シミュレーション用計算機１７に運転訓練の終了要求が入力され、入力された運転訓練の終了要求が確認されると、シミュレーション用計算機１７が終了要求のあった発電プラントのシミュレーションを終了し、運転訓練装置１１Ａは、シミュレーション実行手順を終了する。
【００８８】
尚、運転訓練の実施および終了を要求する場合、管理端末１９から入力操作することで行っているが、シミュレーション用計算機１７の入力手段（図示せず）から入力操作を行って要求しても良い。
【００８９】
発電プラント運転訓練システム１０Ａによれば、予めＤＬが許可された運転訓練用データをシミュレーションデータセンタ１２ＡからＤＬして運転訓練装置１１Ａに保存し、運転訓練実施時には、運転訓練装置１１Ａが保存した運転訓練用データを読み出して実行することで運転訓練を行うことができる。
【００９０】
従って、運転訓練を行う発電プラントの種類が複数あっても、各発電プラントについての運転訓練用データをシミュレーションデータセンタ１２ＡからＤＬしておけば、１台の運転訓練装置１１Ａで複数種類の発電プラントの運転訓練を実施することが可能となり、設備の導入・維持・管理に必要な費用を節減することができる。
【００９１】
また、予め必要な運転訓練用データはＤＬしておくので、運転訓練時に通信ネットワーク１３を介したデータの授受が不要となる。従って、従来の発電プラント運転訓練システムにおいて生じていた運転訓練実施中の通信コストを削減でき、発生する通信コストは、運転訓練実施前に行う運転訓練用データのＤＬ時だけとなるので、通信コストを節減することができる。
【００９２】
さらに、従来の発電プラント運転訓練システムのように、運転訓練時にデータの授受を通信ネットワーク１３を介して行わないので、データ通信速度の変動に起因するリアルタイム性の欠乏を生じることなく、実機を想定した運転訓練として十分なリアルタイム性を確保できる。
【００９３】
尚、発電プラント運転訓練システム１０Ａは、運転訓練用データ配信手順において、ＤＬ要求のあった運転訓練用データを運転訓練装置１１に配信する際に料金を課金する必要がない場合、シミュレーションデータセンタ１２にＤＬ料金計算手段３３を備えていなくても良い。また、運転訓練装置１１側に料金を課金しない場合には、運転訓練用データ配信手順の料金計算行程も省略される。
【００９４】
［第２の実施形態］
図１に示す発電プラント運転訓練システム１０の基本構成概略図において符号を読み替えて、本発明の第２の実施形態に係る発電プラント運転訓練システムの一実施例である発電プラント運転訓練システム１０Ｂのシステム構成概略を説明する。
【００９５】
発電プラント運転訓練システム１０Ｂは、シミュレーション実行手順の発電プラントシミュレーション実施行程において運転訓練員を指導するために必要な処理操作（以下、インストラクタ制御処理行程とする。）を行い得るように構成した発電プラント運転訓練システムである。発電プラント運転訓練システム１０Ｂの構成は、発電プラント運転訓練システム１０Ａに対して、運転訓練装置１１Ａの代わりに運転訓練装置１１Ｂを、シミュレーションデータセンタ１２Ａの代わりにシミュレーションデータセンタ１２Ｂを具備する点で異なるが、その他の箇所は本質的には同一である。
【００９６】
従って、異ならない箇所については同一の符号を付して説明を省略する。また、既に説明済みである発電プラント運転訓練システム１０Ａと実質的に同一の効果および変形例についても、本実施形態以降の説明においては省略する。
【００９７】
発電プラント運転訓練システム１０Ｂは、少なくとも１台以上の運転訓練装置１１Ｂと、シミュレーションデータセンタ１２Ｂとを具備し、運転訓練装置１１Ｂとシミュレーションデータセンタ１２Ｂとが、通信ネットワーク１３を介して電子データの授受が可能に構成されている。すなわち、図１において、発電プラント運転訓練システム１０を発電プラント運転訓練システム１０Ｂ、運転訓練装置１１を運転訓練装置１１Ｂ、シミュレーションデータセンタ１２をシミュレーションデータセンタ１２Ｂと読み替えれば、読み替えた図１が発電プラント運転訓練システム１０Ｂの構成概略図となる。
【００９８】
図５に発電プラント運転訓練システム１０Ｂにおける運転訓練装置１１Ｂの構成概略を示す構成概略図を示す。
【００９９】
運転訓練装置１１Ｂは、運転訓練装置１１Ａに対して、運転訓練員を指導する指導員が操作を行う指導員専用の端末（以下、インストラクタ端末とする。）５２をさらに備える。インストラクタ端末５２は、電子データを記録し保存する記録手段５３と、シミュレーションデータセンタ１２Ｂから通信ネットワーク１３およびセキュリティ管理手段１６を経由して運転訓練用データを受信し、受信した運転訓練用データを記録手段５３に記録するＤＬデータ伝送手段５４と、記録手段５３に保存される電子データを読み出して演算処理を行う演算処理手段５６と、外部機器との電気的な接続を行うＩ／Ｆ手段５７と、演算処理結果を表示する表示手段５８と、ユーザが入力操作するための入力手段５９とを備える。
【０１００】
図６に発電プラント運転訓練システム１０Ｂにおけるシミュレーションデータセンタ１２Ｂの構成概略を示す構成概略図を示す。
【０１０１】
図６によれば、シミュレーションデータセンタ１２Ｂは、シミュレーションデータセンタ１２Ａの運転訓練用シミュレーションＤＢ１４が保有する運転訓練用データ３６，３７，３８の代わりにインストラクタ機能を実現するインストラクタ制御データ６０を有した第１の運転訓練用データ３６Ａ，３７Ａ，３８Ａを保有する点で異なるがその他の点は異ならない。
【０１０２】
ここで、インストラクタ制御データ６０とは、インストラクタ端末５２を運転訓練員を指導するインストラクタ手段として機能させるためのデータ（プログラム）である。インストラクタ端末５２の演算処理手段５６がインストラクタ制御データ６０を読み出して実行することで、演算処理手段５６は、シミュレーション用計算機１７においてなされる発電プラントのシミュレーション状態を制御したり、運転訓練員を指導するための補助的操作の指令をシミュレーション用計算機１７に対して出力するインストラクタ制御を実行する。
【０１０３】
このように構成される発電プラント運転訓練システム１０Ｂは、発電プラント運転訓練システム１０Ａと同様に、発電プラント運転訓練サービス提供方法を行う。すなわち、運転訓練装置１１Ｂが運転訓練用データ取得手順およびシミュレーション実行手順を、シミュレーションデータセンタ１２Ｂが運転訓練用データ配信手順を行う点において、図４に示した発電プラント運転訓練システム１０Ａにおける運転訓練サービス提供方法と同様である。
【０１０４】
しかし、運転訓練装置１１Ａおよびシミュレーションデータセンタ１２Ａの代わりに運転訓練装置１１Ｂおよびシミュレーションデータセンタ１２Ｂを具備する点で相違し、この相違から、運転訓練装置１１Ａでなされるシミュレーション実行手順（以下、第１のシミュレーション実行手順とする。）と、運転訓練装置１１Ｂでなされるシミュレーション実行手順（以下、第２のシミュレーション実行手順とする。）とではその処理行程が異なる。
【０１０５】
そこで、ユーザが発電プラントの運転訓練を行う場合における訓練開始迄の処理フロー図は省略し、運転訓練装置１１Ｂでなされるシミュレーション実行手順を処理行程を追って説明するとともに、第２のシミュレーション実行手順において実施されるインストラクタ制御処理行程について説明する。
【０１０６】
図７に第２のシミュレーション実行手順の処理行程について処理行程を追って説明する処理フロー図を示す。
【０１０７】
図７によれば、第２のシミュレーション実行手順は、運転訓練を行う発電プラントのシミュレーションを開始するシミュレーション開始処理行程（ステップＳ３１）と、運転操作の入力内容を反映して発電プラントの状態をシミュレーションするプラントシミュレーション実行行程（ステップＳ３４）と、インストラクタ制御の実行要求があった場合にインストラクタ制御処理を実行するインストラクタ制御処理行程（ステップＳ３６）と、運転訓練を終了の要求があった場合、運転訓練を終了するべく発電プラントのシミュレーション実行を終了するシミュレーション終了行程（ステップＳ３８）とを備える。
【０１０８】
発電プラント運転訓練システム１０Ｂでなされる第２のシミュレーション実行手順は、インストラクタ制御の実行要求がある場合、すなわち、必要に応じてインストラクタ制御処理行程を行う点において、運転訓練装置１１Ａでなされる第１のシミュレーション実行手順と相違する。その一方で、第２のシミュレーション実行手順を実行する場合には、第１のシミュレーション実行手順を実行する場合と同様に発電プラント運転訓練システム１０Ｂにおいて、ユーザが発電プラントの運転訓練を行う場合においても運転訓練用データをＤＬしておく必要がある。
【０１０９】
従って、運転訓練装置１１Ｂは、発電プラント運転訓練システム１０Ａにおける場合と同様に、運転訓練用データ取得手順（ステップＳ１）を行い、シミュレーションデータセンタ１２Ｂから配信された第１の運転訓練用データ３６Ａを受信して保存する。
【０１１０】
受信した第１の運転訓練用データ３６Ａは、シミュレーション用計算機１７のデータ記録手段２１とインストラクタ端末５２の記録手段５３とに分けて保存される。具体的には、シミュレーション用計算機１７が読み出すプロセスモデルデータ４３、ロジックモデルデータ４５、シミュレーション制御データ４６、Ｉ／Ｏデータベース４７、マルファンクションＤＢ４８およびスケジューリングデータ４９については、シミュレーション用計算機１７のデータ記録手段２１に、インストラクタ端末５２が読み出すインストラクタ制御データ６０については、インストラクタ端末５２の記録手段５３に保存される。
【０１１１】
第２のシミュレーション実行手順では、まず、シミュレーション開始処理行程を行い、運転訓練を行う発電プラントのシミュレーションを開始する（ステップＳ３１）。ここで、運転訓練を行う発電プラントに関するデータは、予めＤＬした第１の運転訓練用データ３６Ａであるとする。
【０１１２】
演算処理手段２３が運転訓練開始要求があった発電プラントに関する運転訓練用データ、すなわち、第１の運転訓練用データ３６Ａを読み込み、運転訓練を行う発電プラントのシミュレーションを開始すると、シミュレーション開始処理行程は完了し、続いて、ステップＳ３２に進む。
【０１１３】
第２のシミュレーション実行手順は、ループ１（ステップＳ３２〜ステップＳ３７）と、ループ２（ステップＳ３３〜ステップＳ３５）とを有する２段階ループであり、ステップＳ３２に進むと、ループ１に入る。ループ１に入るとステップＳ３３に進み、ステップＳ３３でループ２に入る。ループ２に入ると、ステップＳ３４に進む。そして、ステップＳ３４でプラントシミュレーション実行行程がなされる。
【０１１４】
プラントシミュレーション実行行程では、演算処理手段２３が運転操作の入力内容を反映して発電プラントの状態をシミュレーションする。そして、インストラクタ制御の実行要求を演算処理手段５６が認識する（ループ２の脱出条件を満たす）まで、ループ２内の処理行程、すなわち、プラントシミュレーション実行行程が継続される。インストラクタ制御処理の実行要求は、指導員がインストラクタ端末５２の入力手段５９から入力操作することで行うことができる。
【０１１５】
運転訓練中に運転訓練装置１１Ｂ（ユーザ）側において運転訓練員を指導する指導員がインストラクタ端末５２の入力手段５９から入力操作を行うと、インストラクタ端末５２の演算処理手段５６は、入力操作を認識する。演算処理手段５６が、入力操作を認識すると、ステップＳ３５でループ２を脱出し、ステップＳ３６に進む。そして、ステップＳ３６でインストラクタ制御処理行程がなされる。
【０１１６】
インストラクタ制御処理行程では、演算処理手段５６が、記録手段５３に保存され格納されるインストラクタ制御データ（プログラム）６０を読み出して要求のあったインストラクタ制御処理を実行する。インストラクタ制御処理とは、インストラクタ端末５２の演算処理手段５６が指導員の入力操作内容に応じて、運転訓練員を指導するためのシミュレーション状態の制御や運転訓練員の運転訓練操作を補助する等の補助的操作である。すなわち、インストラクタ端末５２は、インストラクタ手段として機能し、このインストラクタ手段がインストラクタ制御処理の実行要求を受け付けて、実行要求があると、実行要求内容に応じたインストラクタ制御処理を行う。
【０１１７】
実行要求したインストラクタ制御処理が完了すると、インストラクタ制御処理行程は完了し、続いて、ステップＳ３７に進む。そして、ステップＳ３７で運転訓練を終了する旨の要求がある（ループ１脱出条件を満たす）と、ループ１を脱出し、ステップＳ３８に進む。そして、ステップＳ３８で、シミュレーション終了行程がなされる。
【０１１８】
シミュレーション終了行程では、演算処理手段２３が運転訓練を終了する旨の要求を認識すると、運転訓練を終了するべく発電プラントのシミュレーションの終了する。発電プラントのシミュレーションが終了すると、ステップＳ３８を完了するとともに、第２の第２のシミュレーション実行手順を完了する（ＥＮＤ）。尚、ステップＳ３７で運転訓練を終了する旨の要求（ループ１脱出条件）がない場合には、ループ１内の処理行程を継続すべく、ステップＳ３２に戻り、ステップＳ３２以降の処理行程が実行される。
【０１１９】
発電プラント運転訓練システム１０Ｂによれば、インストラクタ端末５２にインストラクタ制御データ６０をＤＬして記録手段５３に保存するので、ＤＬしたインストラクタ制御データ６０をインストラクタ端末５２の演算処理手段５６が、読み出すことができ、インストラクタ端末５２をインストラクタ手段として機能させることができる。
【０１２０】
従って、発電プラント運転訓練システム１０Ｂは、第２のシミュレーション実行手順を行うことで、発電プラント運転訓練システム１０Ａによる効果に加え、運転訓練員を指導するためのインストラクタ制御処理行程を行うことができる。
【０１２１】
尚、インストラクタ端末５２は、図５によれば、１台であるが、端末の台数は、１に限定するものではない。少なくても１以上備えていれば良い。
【０１２２】
［第３の実施形態］
図１に示す発電プラント運転訓練システム１０の基本構成概略図において符号を読み替えて、本発明の第３の実施形態に係る発電プラント運転訓練システムの一実施例である発電プラント運転訓練システム１０Ｃのシステム構成概略を説明する。
【０１２３】
発電プラント運転訓練システム１０Ｃは、運転訓練結果をシミュレーションデータセンタ１２Ｃに送信し得るように構成されており、発電プラント運転訓練システム１０Ａに対して、運転訓練装置１１Ａの代わりに運転訓練装置１１Ｃを、シミュレーションデータセンタ１２Ａの代わりにシミュレーションデータセンタ１２Ｃを具備する点で異なるが、その他の箇所は本質的には同一である。従って、異ならない箇所については同一の符号を付して説明を省略する。
【０１２４】
発電プラント運転訓練システム１０Ｃは、少なくとも１台以上の運転訓練装置１１Ｃと、シミュレーションデータセンタ１２Ｃとを具備し、運転訓練装置１１Ｃとシミュレーションデータセンタ１２Ｃとが、通信ネットワーク１３を介して電子データの授受が可能に構成されている。すなわち、図１において、発電プラント運転訓練システム１０を発電プラント運転訓練システム１０Ｃ、運転訓練装置１１を運転訓練装置１１Ｃ、シミュレーションデータセンタ１２をシミュレーションデータセンタ１２Ｃと読み替えれば、読み替えた図１が発電プラント運転訓練システム１０Ｃの構成概略図となる。
【０１２５】
図８に発電プラント運転訓練システム１０Ｃにおける運転訓練装置１１Ｃの構成概略を示す構成概略図を示す。
【０１２６】
運転訓練装置１１Ｃは、運転訓練装置１１Ａに対して、シミュレーション用計算機１７の代わりにシミュレーション用計算機１７Ａを備える。このシミュレーション用計算機１７Ａは、シミュレーション用計算機１７に対して、運転訓練結果を記録した運転訓練結果ＤＢ６２等の電子データを送信するデータ送信手段６３をさらに備える。
【０１２７】
データ送信手段６３は、データ記録手段２１に記録され格納された運転訓練結果ＤＢ６２を読み出してセキュリティ管理手段１６に送信する。セキュリティ管理手段１６は、運転訓練結果ＤＢ６２を受信すると、セキュリティチェックを行い、問題がなければ運転訓練結果ＤＢ６２が通信ネットワーク１３を介してシミュレーションデータセンタ１２Ｃに送信される。
【０１２８】
尚、データ送信手段６３は、電子データの送信先がシミュレーションデータセンタ１２Ｃとして説明しているが、電子データの送信可能な相手をシミュレーションデータセンタ１２Ｃに限定するものではない。データ送信手段６３が電子データを送信できる相手はシミュレーションデータセンタ１２Ｃを含む運転訓練用データサーバ２７Ａの外部全般から電子データを受信可能に構成されている。
【０１２９】
図９に発電プラント運転訓練システム１０Ｃにおけるシミュレーションデータセンタ１２Ｃの構成概略を示す構成概略図を示す。
【０１３０】
シミュレーションデータセンタ１２Ｃは、シミュレーションデータセンタ１２Ａに対して、運転訓練用データサーバ２７の代わりに運転訓練用データサーバ２７Ａを備える。この運転訓練用データサーバ２７Ａは、運転訓練用データサーバ２７に対して、電子データを受信するデータ受信手段６５をさらに備える。
【０１３１】
このデータ受信手段６５は、運転訓練装置１１Ｃから通信ネットワーク１３を介してシミュレーションデータセンタ１２Ｃに送信される運転訓練結果ＤＢ６２をセキュリティ管理手段２６を介して受信し、受信した運転訓練結果ＤＢ６２を記録手段３０に保存し、格納する。
【０１３２】
尚、データ受信手段６５は、運転訓練装置１１Ｃから送信される運転訓練結果ＤＢ６２（電子データ）を受信可能に構成されているが、運転訓練装置１１のＤＬデータ伝送手段２２と同様に、電子データを受信できる相手が運転訓練装置１１Ｃに特定されない。データ受信手段６５は、運転訓練装置１１Ｃを含む運転訓練用データサーバ２７Ａの外部全般から電子データを受信できる。
【０１３３】
このように構成される発電プラント運転訓練システム１０Ｃは、発電プラント運転訓練サービス提供方法を実施できる点において、発電プラント運転訓練システム１０Ａと同様である。
【０１３４】
しかし、運転訓練装置１１Ａおよびシミュレーションデータセンタ１２Ａの代わりに運転訓練装置１１Ｃおよびシミュレーションデータセンタ１２Ｃを具備する点で相違し、この相違から、運転訓練装置１１Ａでなされる第１のシミュレーション実行手順と、運転訓練装置１１Ｃでなされるシミュレーション実行手順（以下、第３のシミュレーション実行手順とする。）とではその処理行程が異なる。
【０１３５】
より具体的には、ユーザが運転訓練を完了すると、運転訓練装置１１Ｃから運転訓練の結果である運転訓練結果ＤＢ６２をシミュレーションデータセンタ１２Ｃに送信する運転訓練結果送信行程をさらに備える点で異なる。また、シミュレーションデータセンタ１２Ｃは、運転訓練結果を受信すると、シミュレーションデータセンタ１２Ｃ側で運転訓練結果に基づき運転技能を採点し、採点結果をユーザである運転訓練装置１１Ｃに送信する採点結果通知手順を実行する点でも異なる。
【０１３６】
そこで、ユーザが発電プラントの運転訓練を行う場合における訓練開始迄の処理フロー図は省略し、第３のシミュレーション実行手順において実施される運転訓練結果送信行程およびシミュレーションデータセンタ１２Ｃが行う採点結果通知手順について説明する。尚、運転訓練装置１１Ｃが第３のシミュレーション実行手順を実行する場合には、第１のシミュレーション実行手順を実行する場合と同様に発電プラント運転訓練システム１０Ｃにおいて、ユーザが発電プラントの運転訓練を行う場合においても運転訓練用データをＤＬしておく必要がある点は同様であるので省略している。
【０１３７】
図１０に運転訓練装置１１Ｃが行う第３のシミュレーション実行手順と、シミュレーションデータセンタ１２Ｃが行う採点結果通知手順との関係を説明する説明図を示す。
【０１３８】
図１０によれば、第３のシミュレーション実行手順は、第１のシミュレーション実行手順に対して運転訓練結果送信行程がさらに加わる。すなわち、運転訓練装置１１Ｃが運転訓練実施待機状態にある場合において、訓練開始要求を運転訓練装置１１Ｃが認識すると、実行要求のあった発電プラントのシミュレーションを開始するシミュレーション開始処理行程を行い、運転訓練を行う発電プラントのシミュレーションを開始する（ステップＳ４１）。
【０１３９】
そして、シミュレーション開始行程がなされると、ステップＳ４２に進み、ループ３に入る。そして、ステップＳ４３に進み、ステップＳ４３でプラントシミュレーション実行行程を行う。プラントシミュレーション実行行程は、運転訓練装置１１Ｃにおけるシミュレーション用計算機１７の演算処理手段２３が運転訓練の終了要求を認識する（ループ３の脱出条件を満たす）までの間継続され、運転操作の入力内容を反映して発電プラントの状態が継続的にシミュレーションされる。
【０１４０】
シミュレーション用計算機１７に運転訓練の終了要求が入力され、演算処理手段２３が入力された運転訓練の終了要求を確認する（ループ３の脱出条件を満たす）と、演算処理手段２３は、プラントシミュレーション実行行程を完了し、ステップＳ４４に進んで、ループ３を脱出する。そして、ステップＳ４５に進み、ステップＳ４５で、シミュレーション終了行程がなされる。ステップＳ４１〜ステップＳ４５までの処理行程は、第１のシミュレーション実行手順と同様である。
【０１４１】
シミュレーション終了行程がなされると、続いて、ステップＳ４６に進み、ステップＳ４６で演算処理手段２３は、運転訓練結果送信行程を行う。運転訓練結果送信行程では、運転訓練結果である運転訓練結果ＤＢ６２をシミュレーションデータセンタ１２Ｃに送信する。運転訓練結果ＤＢ６２をシミュレーションデータセンタ１２Ｃに送信すると、運転訓練結果送信行程は完了し、運転訓練装置１１Ｃは、第３のシミュレーション実行手順を終了する（ＥＮＤ）。
【０１４２】
一方、運転訓練結果ＤＢ６２が運転訓練装置１１Ｃから送信されると、シミュレーションデータセンタ１２Ｃは、運転訓練結果ＤＢ６２を受信する。運転訓練結果ＤＢ６２の受信は、運転訓練用データサーバ２７Ａのデータ受信手段６５が行い、受信後、受信した運転訓練結果ＤＢ６２を記録手段３０に保存する。そして、シミュレーションデータセンタ１２Ｃで、採点結果通知手順が実行される（開始）。
【０１４３】
図１０によれば、採点結果通知手順は、まず、ステップＳ５１で運転訓練内容について採点を行う採点行程を実行する。採点行程は、図９に示されない運転訓練用データサーバ２７Ａと電気的に接続された電子計算機が採点行程を実行させるプログラムを実行し、運転訓練結果ＤＢ６２を記録手段３０から読み出すことで行うことができる。そして、採点した結果を記録した採点結果データを作成する。採点結果データが作成されると、採点行程は完了する。
【０１４４】
採点行程（ステップＳ５１）が完了すると、続いて、ステップＳ５２で採点行程を実行した電子計算機が採点結果データを運転訓練結果ＤＢ６２の送信元である運転訓練装置１１Ｃに送信する採点結果送信行程を行う。採点結果送信行程がなされ、採点結果データが運転訓練装置１１Ｃに送信されると、採点結果送信行程は完了し、採点結果送信行程の完了をもって採点結果通知手順は完了する（終了）。
【０１４５】
発電プラント運転訓練システム１０Ｃによれば、第３のシミュレーション実行手順を行うことで、シミュレーションデータセンタ１２Ｃ側では、運転訓練装置１１Ｃ側から送信された運転訓練結果を保存して収集することができる。そして、シミュレーションデータセンタ１２Ｃに保存された運転訓練結果、すなわち、運転訓練結果ＤＢ６２を用いて、運転訓練員の教育履歴を管理したり、訓練結果を採点し評価することができる。
【０１４６】
また、採点結果は、ユーザである運転訓練装置１１Ｃ側の運転訓練員の指導員または管理者に通信ネットワーク１３を経由して送信することができるので、ユーザである運転訓練装置１１Ｃに通知し、提供することができる。
【０１４７】
さらに、シミュレータデータセンタ１２Ｃ側で、運転訓練員の教育履歴の管理が可能となるので、運転訓練装置１１Ｃ側の指導員または運転訓練員の管理者は、教育履歴データの管理をシミュレータデータセンタ１２Ｃ側に代行してもらうこととなり、運転訓練装置１１Ｃ側では、運転訓練員の教育に要する手間および費用を削減することができる。
【０１４８】
尚、運転訓練結果ＤＢ６２は、第３のシミュレーション実行手順を実行する都度、すなわち、運転訓練を行う度に送信されるものとして説明したが、運転訓練の度に送信しなくても良く、何回か分を纏めて送信するようにしても良い。
【０１４９】
また、採点は、図９に示されない電子計算機が行うとしたが、採点結果通知手順を行うプログラムを運転訓練用データサーバ２７Ａが実行するようにして、運転訓練用データサーバ２７Ａが採点結果通知手順を行うようにしても良い。
【０１５０】
さらに、必要に応じて、採点結果をユーザである運転訓練装置１１Ｃ側の運転訓練員の指導員または管理者に提供する際に、通信ネットワーク１３を用いて電子データで送信することによって運転訓練装置１１Ｃ側に通知しているが、採点結果をユーザである運転訓練装置１１Ｃ側の運転訓練員の指導員または管理者に郵送等で配送することによって提供しても構わない。
【０１５１】
［第４の実施形態］
図１に示す発電プラント運転訓練システム１０の基本構成概略図において符号を読み替えて、本発明の第４の実施形態に係る発電プラント運転訓練システムの一実施例である発電プラント運転訓練システム１０Ｄのシステム構成概略を説明する。
【０１５２】
発電プラント運転訓練システム１０Ｄは、シミュレーションデータセンタ１２側から運転訓練装置１１側の運転訓練員の指導を行い得るように構成されており、発電プラント運転訓練システム１０Ａに対して、運転訓練装置１１Ａの代わりに運転訓練装置１１Ｄを、シミュレーションデータセンタ１２Ａの代わりにシミュレーションデータセンタ１２Ｄを具備する点で異なるが、その他の箇所は本質的には同一である。従って、異ならない箇所については同一の符号を付して説明を省略する。
【０１５３】
発電プラント運転訓練システム１０Ｄは、少なくとも１台以上の運転訓練装置１１Ｄと、シミュレーションデータセンタ１２Ｄとを具備し、運転訓練装置１１Ｄとシミュレーションデータセンタ１２Ｄとが、通信ネットワーク１３を介して電子データの授受が可能に構成されている。すなわち、図１において、発電プラント運転訓練システム１０を発電プラント運転訓練システム１０Ｄ、運転訓練装置１１を運転訓練装置１１Ｄ、シミュレーションデータセンタ１２をシミュレーションデータセンタ１２Ｄと読み替えれば、読み替えた図１が発電プラント運転訓練システム１０Ｄの構成概略図となる。
【０１５４】
図１１に発電プラント運転訓練システム１０Ｄにおける運転訓練装置１１Ｄの構成概略を示す構成概略図を示す。
【０１５５】
運転訓練装置１１Ｄは、運転訓練装置１１Ａに対して、シミュレーション用計算機１７の代わりにシミュレーション用計算機１７Ｂを備える。このシミュレーション用計算機１７Ｂは、シミュレーション用計算機１７に対して、リアルタイム伝送手段６７をさらに備える。
【０１５６】
リアルタイム伝送手段６７は、シミュレーションデータセンタ１２Ｄおよび運転訓練装置１１Ｄで発生したイベントを認知することで、シミュレーションデータセンタ１２Ｄおよび運転訓練装置１１Ｄの間のリアルタイム伝送を実現している。従って、運転訓練員が行っている運転訓練の内容を指導員が把握するとともに、指導員が運転訓練員を指導することができる。
【０１５７】
リアルタイム伝送手段６７は、シミュレーションデータセンタ１２Ｄ（より具体的には、後述するインストラクタ手段としてのインストラクタ用端末６８）から送信されたデータについては、通信ネットワーク１３を介して受け取る。また、シミュレーション用計算機１７Ｂの演算処理手段２３から送信されたデータを受信すると、通信ネットワーク１３を介してシミュレーションデータセンタ１２Ｄに送信する。
【０１５８】
図１２に発電プラント運転訓練システム１０Ｄにおけるシミュレーションデータセンタ１２Ｄの構成概略を示す構成概略図を示す。
【０１５９】
シミュレーションデータセンタ１２Ｄは、シミュレーションデータセンタ１２Ａに対して、運転訓練用データサーバ２７の代わりに運転訓練用データサーバ２７Ｂを備える。この運転訓練用データサーバ２７Ｂは、運転訓練用データサーバ２７に対して、シミュレーションデータセンタ１２Ｄから指導員が運転訓練装置１１Ｄ側の運転訓練員（シミュレーションユーザ）を指導するインストラクタ手段としてのインストラクタ用端末６８をさらに備える。
【０１６０】
インストラクタ用端末６８は、運転訓練員を指導する指導員が操作する端末である。従って、運転訓練装置１１Ｂのインストラクタ端末５２と共通の構成要素も多い。しかし、運転訓練装置１１側にあるかシミュレーションデータセンタ１２側にあるかの点で相違するので、その構成要素も若干相違する。
【０１６１】
インストラクタ用端末６８は、インストラクタ端末５２にも備えられる記録手段５３と、ＤＬデータ伝送手段５４と、演算処理手段５６と、表示手段５８と、入力手段５９とを備え、運転訓練装置１１Ｄのシミュレーション用計算機１７Ｂと運転訓練に関するイベントを伝送するリアルタイム伝送手段６７と、運転訓練装置１１ＤがＤＬしたデータ情報を読み取り、運転訓練員の指導に必要なインストラクタ制御データ６０のＤＬを要求する管理手段７０とをさらに備える。
【０１６２】
このように構成される発電プラント運転訓練システム１０Ｄは、インストラクタ手段を備えるので、同様にインストラクタ手段を備える発電プラント運転訓練システム１０Ｂとほぼ同様の作用効果が得られる。つまり、運転訓練装置１１Ｂでなされる第２のシミュレーション実行手順と、運転訓練装置１１Ｄでなされるシミュレーション実行手順（以下、第４のシミュレーション実行手順とする。）とでは、実質的に差異はない。
【０１６３】
しかしながら、両発電プラント運転訓練システム１０Ｂ，１０Ｄは、発電プラント運転訓練システム１０Ｄが、シミュレーションデータセンタ１２側に備えるのに対し、発電プラント運転訓練システム１０Ｂでは、インストラクタ手段を運転訓練装置１１側に備える点で相違する。インストラクタ手段を運転訓練装置１１側に備えるか、または、シミュレーションデータセンタ１２側に備えるかによって、シミュレーション実行手順を実行するまでの準備段階において差異が生じる。
【０１６４】
そこで、シミュレーション実行手順を実行するまでの準備段階、すなわち、運転訓練装置１１Ｄおよびシミュレーションデータセンタ１２Ｄでなされる準備段階について説明を行う。その一方で、実質的に第２のシミュレーション実行手順と同様である第４のシミュレーション実行手順の処理行程については、図７において示した第２のシミュレーション実行手順の処理フロー図をもって説明を省略する。
【０１６５】
運転訓練装置１１Ｄが第４のシミュレーション実行手順を実行するにあたり、運転訓練用データをＤＬしておく必要がある点は、第２のシミュレーション実行手順を実行する場合と同様である。従って、発電プラント運転訓練システム１０Ｄにおいて、ユーザが発電プラントの運転訓練を行う場合も、運転訓練用データ取得手順を行って、第４のシミュレーション実行手順を実行するのに必要な運転訓練用データをＤＬを行う。
【０１６６】
但し、運転訓練装置１１Ｄでは、運転訓練装置１１Ｂと異なり、運転訓練装置１１側でインストラクタ制御処理行程を行わないので、運転訓練用データ取得手順を実行して運転訓練装置１１ＤにＤＬされるデータは、第１の運転訓練用データ３６Ａではなく、インストラクタ制御データ６０を含まない第１の運転訓練用データ３６となる。
【０１６７】
一方、シミュレーションデータセンタ１２Ｄは、シミュレーションデータセンタ１２Ｂと同様に、運転訓練用データ配信手順を実行し、運転訓練装置１１Ｄに運転訓練員が運転訓練を行うのに必要な運転訓練用データ、すなわち、第１の運転訓練用データ３６を配信する。その後、シミュレーションデータセンタ１２Ｄから運転訓練装置１１Ｄ側の運転訓練員を指導する必要が生じた場合、シミュレーションデータセンタ１２Ｄは、指導員の要求を受け付けて、インストラクタ用端末６８に運転訓練装置１１Ｄ側の運転訓練員を指導するのに必要なデータをＤＬするインストラクタ準備手順を実行する。
【０１６８】
図１３に、シミュレーションデータセンタ１２Ｄでなされるインストラクタ準備手順を処理行程を追って説明する処理フロー図を示す。
【０１６９】
図１３によれば、インストラクタ準備手順は、運転訓練装置１１Ｄにアクセスして、運転訓練装置１１ＤにＤＬされた運転訓練用データが何かについて認識するＤＬ運転訓練用データ認識行程（ステップＳ６１）と、運転訓練装置１１Ｄ側の運転訓練員を指導するのに必要なインストラクタ制御データ６０をＤＬするインストラクタ制御データＤＬ行程（ステップＳ６２）とを備える。
【０１７０】
インストラクタ準備手順は、運転訓練装置１１Ｄから運転訓練員の指導要求を受け付けた場合において、指導員が、インストラクタ用端末６８を入力操作することにより実行が開始される。インストラクタ準備手順が開始されると、まず、ステップＳ６１でＤＬ運転訓練用データ認識行程がなされる。
【０１７１】
ＤＬ運転訓練用データ認識行程では、管理手段７０が入力手段５９からの入力操作を受けてセキュリティ管理手段２６および通信ネットワークを経由して運転訓練装置１１Ｄにアクセスする。そして、運転訓練装置１１ＤにＤＬされた運転訓練用データが何かを認識する。管理手段７０が運転訓練装置１１ＤにＤＬされた運転訓練用データが何かを認識するとＤＬ運転訓練用データ認識行程を完了し、続いて、ステップＳ６２に進み、ステップＳ６２でインストラクタ制御データＤＬ行程を行う。
【０１７２】
インストラクタ制御データＤＬ行程では、管理手段７０が、運転訓練装置１１Ｄ側でＤＬした運転訓練用データ（第１の運転訓練データ３６）とリンクしたインストラクタ制御データ６０についてＤＬ要求を行う。インストラクタ制御データ６０のＤＬ要求は、インストラクタ制御データ６０が格納される運転訓練用データサーバ２７Ｂに対して行う。
【０１７３】
運転訓練用データサーバ２７Ｂでは、インストラクタ制御データ６０のＤＬ要求をデータ伝送手段３１を介してアクセス管理手段３２が受け取り、不正アクセスでないことを確認の上、インストラクタ用端末６８に配信する。インストラクタ制御データ６０がインストラクタ用端末６８に配信されると、インストラクタ用端末６８のＤＬデータ伝送手段５４が受信して記録手段５３に保存し格納する。
【０１７４】
運転訓練装置１１Ｄ側の運転訓練員を指導するのに必要なインストラクタ制御データ６０のＤＬが完了すると、インストラクタ制御データＤＬ行程は完了し、インストラクタ制御データＤＬ行程の完了をもってインストラクタ準備手順は完了する。
【０１７５】
その後、運転訓練装置１１Ｄで第４のシミュレーション実行手順を実行すると、運転訓練装置１１Ｄのリアルタイム伝送手段６７と、シミュレーションデータセンタ１２Ｄのインストラクタ用端末６８におけるリアルタイム伝送手段６７とが情報のやり取りを行い、インストラクタ用端末６８が、あたかも、発電プラント運転訓練システム１０Ｂのインストラクタ端末５２のようなインストラクタ手段として機能する。
【０１７６】
インストラクタ手段が第２のシミュレーション実行手順の場合と同様に、インストラクタ用端末６８の演算処理手段５６が、インストラクタ制御処理行程の実行要求を認識すると、インストラクタ用端末６８の演算処理手段５６は、実行要求のあったインストラクタ制御処理行程を実行するのに必要なデータをリアルタイム伝送手段６７に渡す。
【０１７７】
実行要求のあったインストラクタ制御処理行程を実行するのに必要なデータは、インストラクタ用端末６８のリアルタイム伝送手段６７から通信ネットワーク１３を経由して運転訓練装置１１Ｄに送られ、運転訓練装置１１Ｄのシミュレーション用計算機１７におけるリアルタイム伝送手段６７が受け取る。そして、リアルタイム伝送手段６７が受け取ったデータを、演算処理手段２３がリアルタイム伝送手段６７経由で受け取り、シミュレーション用計算機１７の実行要求の内容に応じたインストラクタ制御処理行程を実行する。
【０１７８】
発電プラント運転訓練システム１０Ｄによれば、第４のシミュレーション実行手順を行うことで、同質の作用効果を実現するインストラクタ手段を運転訓練装置１１側に備える運転訓練システム１０Ｂと、実質的に同様の作用効果を得ることができる。
【０１７９】
また、発電プラント運転訓練システム１０Ｄは、インストラクタ手段をシミュレーションデータセンタ１２Ｄ側に備えるので、運転訓練装置１１Ｄに指導員が居ない場合においても、シミュレーションデータセンタ１２Ｄ側から指導員を運転訓練装置１１側に派遣することなく、運転訓練員の指導を行うことができる。
【０１８０】
換言すれば、発電プラント運転訓練システム１０Ｄは、シミュレーションデータセンタ１２Ｄから運転訓練装置１１Ｄに対して運転訓練のインストラクタ機能を提供することができる。
【０１８１】
尚、インストラクタ用端末６８は、図１２によれば、１台であるが、端末の台数は、１に限定するものではない。少なくても１以上備えていれば良い。
【０１８２】
［第５の実施形態］
図１に示す発電プラント運転訓練システム１０の基本構成概略図において符号を読み替えて、本発明の第５の実施形態に係る発電プラント運転訓練システムの一実施例である発電プラント運転訓練システム１０Ｅのシステム構成概略を説明する。
【０１８３】
発電プラント運転訓練システム１０Ｅは、プラント実機の運転操作で使用する運転操作盤を用いて運転訓練をし得るように構成されており、発電プラント運転訓練システム１０Ａに対して、運転訓練装置１１Ａの代わりに運転訓練装置１１Ｅを具備する点で異なるが、その他の箇所は本質的には同一である。従って、異ならない箇所については同一の符号を付して説明を省略する。
【０１８４】
発電プラント運転訓練システム１０Ｅは、少なくとも１台以上の運転訓練装置１１Ｅと、シミュレーションデータセンタ１２Ａとを具備し、運転訓練装置１１Ｅとシミュレーションデータセンタ１２Ａとが、通信ネットワーク１３を介して電子データの授受が可能に構成されている。すなわち、図１において、発電プラント運転訓練システム１０を発電プラント運転訓練システム１０Ｅ、運転訓練装置１１を運転訓練装置１１Ｅ、シミュレーションデータセンタ１２をシミュレーションデータセンタ１２Ａと読み替えれば、読み替えた図１が発電プラント運転訓練システム１０Ｅの構成概略図となる。
【０１８５】
図１４に発電プラント運転訓練システム１０Ｅにおける運転訓練装置１１Ｅの構成概略を示す構成概略図を示す。
【０１８６】
図１４によれば、運転訓練装置１１Ｅは、運転訓練装置１１Ａに対して、プラント実機の実機運転操作盤７２から実機制御装置７３とシミュレーション計算機１７との信号伝送経路を切り替える信号切替手段７５を備える。信号切替手段７５は、ＳＷ１およびＳＷ２の２つの信号切替スイッチを有し、ＳＷ１およびＳＷ２は、実機運転操作盤７２からの信号経路切替信号を受信すると、各ＳＷ内の信号経路切替部７７が信号経路の切り替えを行う。
【０１８７】
実機運転操作盤７２を使用して運転訓練を実施する際には、実機運転操作盤７２を入力操作して、信号経路の切り替え要求を行う。入力された信号経路の切替要求は、実機運転操作盤７２から信号経路切替手段７５のＳＷ１およびＳＷ２に入力される。
【０１８８】
例えば、図１４に示す運転訓練装置１１Ｅにおいては、実機運転操作盤７２からＳＷ１およびＳＷ２にＯＦＦの信号が入力された状態にあると、ＳＷ１およびＳＷ２はＯＦＦの状態にある。つまり、ＳＷ１では、シミュレーション用計算機１７と運転訓練操作装置１８とが電気的に接続され、ＳＷ２では、実機運転操作盤７２と実機制御装置７３との間が電気的または機械的に接続された状態にある。この場合、実機運転操作盤７２の操作対象は、実機である実機制御装置７３となる。
【０１８９】
一方、実機運転操作盤７２からＳＷ１およびＳＷ２にＯＮの信号が入力された状態にあると、ＳＷ１およびＳＷ２はＯＮの状態にある。つまり、ＳＷ１では、シミュレーション用計算機１７と、実機運転操作盤７２とが電気的に接続される一方、ＳＷ２では、実機運転操作盤７２と実機制御装置７３との間の接続が切り離された状態にある。この場合、実機運転操作盤７２の操作対象は、シミュレーション用計算機１７が第１の運転訓練用データ３６を読み出して実行することにより実現される模擬プラントとなる。
【０１９０】
このように構成される運転訓練装置１１Ｅによれば、プラント実機の運転中（ＯＦＦの状態）では、実機運転操作盤７２を用いて実機制御装置７３の運転操作ができる一方で、例えば、プラントの定期点検中のように、実機制御装置７３の運転操作が不要な状況下では、実機運転操作盤７２から信号切替要求を信号切替手段７５に出力して、信号伝送経路をＯＮ側に切り替えることができる。
【０１９１】
信号伝送経路をＯＮ側に切り替えることで、実機運転操作盤７２の操作対象は、プラント実機である実機制御装置７３から運転訓練装置１１Ｅがシミュレーションする模擬プラントとすることでき、実際のプラント実機の操作に使用する実機運転操作盤７２を使用して運転訓練を行うことができる。
【０１９２】
発電プラント運転訓練システム１０Ｅによれば、実機運転操作盤７２により運転訓練における運転操作を行うことができ、より実機の即した環境下での運転訓練の実施が可能となる。
【０１９３】
尚、運転訓練装置１１Ｅは、運転訓練操作装置１８を備えているが、必ずしも、運転訓練操作装置１８を備えている必要はない。例えば、運転訓練を行うのが、プラントの定期点検中等の実機制御装置７３の運転操作が不要な状況下のみで行うことを前提とするのであれば、運転訓練操作装置１８を備えていなくても何ら問題はない。
【０１９４】
また、運転訓練操作装置１８を備えない場合には、当然、信号切替手段のＳＷ１も不要となる。従って、運転訓練装置１１Ｅの装置構成が簡略化されるメリットがある。
【０１９５】
［第６の実施形態］
図１に示す発電プラント運転訓練システム１０の基本構成概略図において符号を読み替えて、本発明の第６の実施形態に係る発電プラント運転訓練システムの一実施例である発電プラント運転訓練システム１０Ｆのシステム構成概略を説明する。
【０１９６】
発電プラント運転訓練システム１０Ｆは、プラントの監視および制御を目的とする制御用コンピュータをシミュレーションにより模擬し得るように構成されており、発電プラント運転訓練システム１０Ａに対して、運転訓練装置１１Ａの代わりに運転訓練装置１１Ｆを、シミュレーションデータセンタ１２Ａの代わりにシミュレーションデータセンタ１２Ｆを具備する点で異なるが、その他の箇所は本質的には同一である。従って、異ならない箇所については同一の符号を付して説明を省略する。
【０１９７】
発電プラント運転訓練システム１０Ｆは、少なくとも１台以上の運転訓練装置１１Ｆと、シミュレーションデータセンタ１２Ｆとを具備し、運転訓練装置１１Ｆとシミュレーションデータセンタ１２Ｆとが、通信ネットワーク１３を介して電子データの授受が可能に構成されている。すなわち、図１において、発電プラント運転訓練システム１０を発電プラント運転訓練システム１０Ｆ、運転訓練装置１１を運転訓練装置１１Ｆ、シミュレーションデータセンタ１２をシミュレーションデータセンタ１２Ｆと読み替えれば、読み替えた図１が発電プラント運転訓練システム１０Ｆの構成概略図となる。
【０１９８】
図１５に発電プラント運転訓練システム１０Ｆにおける運転訓練装置１１Ｆの構成概略を、図１６にシミュレーションデータセンタ１２Ｆの構成概略を示す構成概略図を示す。
【０１９９】
図１５によれば、運転訓練装置１１Ｆは、ＤＬする運転訓練用データが運転訓練装置１１Ａとは相違するが、その他の点においては本質的に異ならない。具体的には、運転訓練装置１１ＡではＤＬする運転訓練用データが運転訓練用データ３６，３７，３８であるのに対し、運転訓練装置１１ＦではＤＬする運転訓練用データが運転訓練用データ３６Ｂ，３７Ｂ，３８Ｂである。
【０２００】
また、運転訓練用データ３６Ｂ，３７Ｂ，３８Ｂと運転訓練用データ３６Ａ，３７Ａ，３８Ａとを比べると、転訓練用データが運転訓練用データ３６Ｂ，３７Ｂ，３８Ｂは、運転訓練用データ３６Ａ，３７Ａ，３８Ａに対して、プラントの監視および制御を目的とする制御用コンピュータをシミュレーションする制御用コンピュータモデルデータ７９をさらに有する。
【０２０１】
制御用コンピュータモデルデータ７９は、制御用コンピュータの動作を模擬するデータを一式保持する。すなわち、Ｉ／ＯＤＢ４７が保持するプラントの各種の信号に基づき、表示用の画面データを生成する。
【０２０２】
また、制御用コンピュータによる自動化ロジックモデルを備えて自動化のための信号出力をＩ／ＯＤＢ４７に反映させる。さらに、制御用コンピュータモデルデータ７９の自動化ロジックは、運転訓練操作装置１８から与えられる信号をもとに動作開始して他の運転訓練用データと連携して動作し、その結果が運転訓練操作装置１８の表示部（図示せず）やシミュレーション用計算機１７のディスプレイ２５に表示される。
【０２０３】
一方、図１６によれば、シミュレーションデータセンタ１２Ｆは、シミュレーションデータセンタ１２Ａに対し、運転訓練用ＤＢ１４が保有する運転訓練用データが異なる。具体的には、シミュレーションデータセンタ１２Ａの運転訓練用ＤＢ１４では、保有する運転訓練用データが運転訓練用データ３６Ａ，３７Ａ，３８Ａであるのに対し、シミュレーションデータセンタ１２Ｆの運転訓練用ＤＢ１４では、運転訓練用データ３６Ｂ，３７Ｂ，３８Ｂである。
【０２０４】
このように構成される発電プラント運転訓練システム１０Ｆによれば、制御用コンピュータを備える発電プラントについて、制御用コンピュータを模擬する制御用コンピュータモデルデータ７９を運転訓練装置１１ＦにＤＬすることにより、シミュレーション用計算機１７の演算処理手段２３および制御用コンピュータモデルデータ７９が協働し制御用コンピュータの機能を実現することができる。従って、制御用コンピュータを備える発電プラントについても運転訓練を行うことができる。
【０２０５】
また、運転訓練装置１１Ｆで行う運転訓練の実施にあたり、シミュレーション用計算機１７の演算処理手段２３が制御用コンピュータモデルデータ７９を読み込むによって、他の運転訓練用データと連携した動作を可能にし、制御用コンピュータの表示装置を模擬するべく、運転訓練操作装置１８の表示部およびシミュレーション用計算機１７のディスプレイ２５に対してプラント監視用データを表示することができる。
【０２０６】
さらに、運転訓練システム１０Ａ等の他の運転訓練システムの場合と同様に、シミュレーション実行時において、シミュレーションの実行に必要なデータが通信ネットワーク１３を経由することがないので、制御用コンピュータの表示装置に表示される情報についても、時間の遅れや変動を生じることなく、より現実に近い形での運転訓練を実施できる。
【０２０７】
［第７の実施形態］
図１に示す発電プラント運転訓練システム１０の基本構成概略図において符号を読み替えて、本発明の第７の実施形態に係る発電プラント運転訓練システムの一実施例である発電プラント運転訓練システム１０Ｇのシステム構成概略を説明する。
【０２０８】
発電プラント運転訓練システム１０Ｇは、運転訓練操作装置１８を使用することなく、運転訓練操作装置１８をも含めて模擬し得るよう構成した運転訓練システムである。運転訓練操作装置１８は、実際のプラント運転装置とほぼ同等の機能を実現するべく、制御盤（図を省略）を備える。
【０２０９】
しかし、制御盤を備える運転訓練操作装置１８を運転訓練用として製作することは、費用の負担が大きいことや、設置場所の確保等の面で問題がある。そこで、発電プラント運転訓練システム１０Ｇでは、運転装置模擬のための制御盤を設けず、制御盤の機能をシミュレーションにより実現することで、運転訓練を行い得る構成としている。
【０２１０】
発電プラント運転訓練システム１０Ｇは、発電プラント運転訓練システム１０Ａに対して、運転訓練装置１１Ａの代わりに運転訓練装置１１Ｇを、シミュレーションデータセンタ１２Ａの代わりにシミュレーションデータセンタ１２Ｇを具備する点で異なるが、その他の箇所は本質的には同一である。従って、異ならない箇所については同一の符号を付して説明を省略する。
【０２１１】
発電プラント運転訓練システム１０Ｇは、少なくとも１台以上の運転訓練装置１１Ｇと、シミュレーションデータセンタ１２Ｇとを具備し、運転訓練装置１１Ｇとシミュレーションデータセンタ１２Ｇとが、通信ネットワーク１３を介して電子データの授受が可能に構成されている。すなわち、図１において、発電プラント運転訓練システム１０を発電プラント運転訓練システム１０Ｇ、運転訓練装置１１を運転訓練装置１１Ｇ、シミュレーションデータセンタ１２をシミュレーションデータセンタ１２Ｇと読み替えれば、読み替えた図１が発電プラント運転訓練システム１０Ｇの構成概略図となる。
【０２１２】
図１７に発電プラント運転訓練システム１０Ｇにおける運転訓練装置１１Ｇの構成概略を、図１８にシミュレーションデータセンタ１２Ｇの構成概略を示す構成概略図を示す。
【０２１３】
図１７によれば、運転訓練装置１１Ｇは、運転訓練装置１１Ａに対して、運転訓練操作装置１８の代わりに、運転操作を行う操作部と画面データを受信して表示する表示部とを有する運転操作・表示装置８１を備える点において相違する。また、ＤＬする運転訓練用データが運転訓練装置１１Ａとは相違する。
【０２１４】
しかしながら、その他の点においては運転訓練装置１１Ｇは、運転訓練装置１１Ａと本質的に異ならない。そこで、運転訓練装置１１Ａとは相違する運転運転操作・表示装置８１およびＤＬする運転訓練用データについて説明する。
【０２１５】
運転操作・表示装置８１は、運転訓練操作装置１８をより簡素化したものであり、運転訓練操作装置１８から制御盤の担う機能を省略したものである。従って、運転操作・表示装置８１は、制御盤を備える運転訓練操作装置１８に比べ、より低コストで省スペースを実現した運転訓練操作手段を実現する。
【０２１６】
一方、運転訓練装置１１ＧがＤＬする運転訓練用データは、運転訓練装置１１ＡでＤＬする運転訓練用データが運転訓練用データ３６，３７，３８であるのに対し、運転訓練装置１１Ｇでは、ＤＬする運転訓練用データが運転訓練用データ３６Ｃ，３７Ｃ，３８Ｃである。
【０２１７】
運転訓練用データ３６Ｃ，３７Ｃ，３８Ｃと運転訓練用データ３６Ａ，３７Ａ，３８Ａとを比べると、運転訓練用データ３６Ｃ，３７Ｃ，３８Ｃは、運転訓練用データ３６Ａ，３７Ａ，３８Ａに対して、運転訓練操作装置１８に備えられる制御盤の機能をシミュレーションにより実現する制御盤モデルデータ８３をさらに有する。
【０２１８】
制御盤モデルデータ８３は、制御盤の動作一式を模擬するデータを保持する。すなわち、Ｉ／ＯＤＢ４７が保持するプラントの各種の信号に基づき、表示する画面データを生成する。また、他の運転訓練用データと連携して動作し、その結果（制御盤表示）がシミュレーション用計算機１７のディスプレイ２５や運転操作・表示装置８１の表示部（図を省略）に表示される。
【０２１９】
一方、図１８によれば、シミュレーションデータセンタ１２Ｇは、シミュレーションデータセンタ１２Ａに対し、運転訓練用ＤＢ１４が保有する運転訓練用データが異なる。具体的には、シミュレーションデータセンタ１２Ａの運転訓練用ＤＢ１４では、保有する運転訓練用データが運転訓練用データ３６Ａ，３７Ａ，３８Ａであるのに対し、シミュレーションデータセンタ１２Ｇの運転訓練用ＤＢ１４では、運転訓練用データ３６Ｃ，３７Ｃ，３８Ｃである。
【０２２０】
このように構成される発電プラント運転訓練システム１０Ｇによれば、制御盤モデルデータ８３を運転訓練装置１１ＧにＤＬすることで、シミュレーション用計算機１７の演算処理手段２３が制御盤モデルデータ８３を読み込むことができるので、演算処理手段２３および制御盤モデルデータ８３が協働し、制御盤の機能を実現することができる。従って、制御盤を有さない簡素化された運転操作・表示装置８１を用いても、運転訓練操作装置１８を使用した場合と同様の運転訓練を行うことができる。
【０２２１】
また、運転訓練装置１１Ｇで行う運転訓練の実施にあたり、シミュレーション用計算機１７の演算処理手段２３が制御盤モデルデータ８３を読み込むによって、他の運転訓練用データと連携した動作を可能にし、運転操作・表示装置８１と相まって、運転訓練操作装置１８を模擬することができる。
【０２２２】
さらに、実機では制御盤に表示されるプラント監視用データは、運転操作・表示装置８１の表示部およびシミュレーション用計算機１７のディスプレイ２５の少なくとも一方に、制御盤表示として表示される。
【０２２３】
さらにまた、運転訓練システム１０Ａ他の場合と同様に、シミュレーション実行時において、シミュレーションの実行に必要なデータが通信ネットワーク１３を経由することがないので、制御用コンピュータの表示装置に表示される情報についても、時間の遅れや変動を生じることなく、より現実に近い形での運転訓練を実施できる。
【０２２４】
［第８の実施形態］
図１９に本発明の第８の実施形態に係る発電プラント運転訓練システムの一実施例である発電プラント運転訓練システム１０Ｈのシステム構成概略を表した構成概略図を示す。
【０２２５】
発電プラント運転訓練システム１０Ｈは、運転訓練装置１１Ｈが、発電設備８５から通信ネットワーク１３を介して電子データの授受が可能に構成される点で相違する。しかしながら、その他の箇所は本質的には同一である。従って、異ならない箇所については同一の符号を付して説明を省略する。
【０２２６】
図１９によれば、発電プラント運転訓練システム１０Ｈは、他の実施形態に係る発電プラント運転訓練システム１０Ａ等と同様に、運転訓練装置１１Ｈと、シミュレーションデータセンタ１２Ｈとを具備し、運転訓練装置１１Ｈとシミュレーションデータセンタ１２Ｈとが通信ネットワーク１３を介して電子データの授受が可能に構成される。さらに、発電プラント運転訓練システム１０Ｈは、発電設備８５が通信ネットワーク１３と電気的に接続されており、運転訓練装置１１Ｈが通信ネットワーク１３を介して電子データの授受が可能に構成される。
【０２２７】
発電設備８５は、実機制御装置７３の各種の時系列信号を実測したデータ（以下、実測値データとする）８６をデータ収集装置８７が取得する。データ収集装置８７が取得した実測値データ８６は、データ収集装置８７が記録し格納する。
【０２２８】
図２０に発電プラント運転訓練システム１０Ｈにおける運転訓練装置１１Ｈの構成概略を示す構成概略図を示す。
【０２２９】
運転訓練装置１１Ｈは、運転訓練装置１１Ａに対して、シミュレーション用計算機１７にＤＬされ保存される電子データと、管理端末１９が、リプレイ画像データ８９の作成を実行するためのグラフィックユーザーインターフェイス（以下、ＧＵＩとする）を実現可能に構成される点で異なるが、その他の点は本質的には異ならない。
【０２３０】
シミュレーション用計算機１７にＤＬされるのは、運転訓練時にリプレイ表示するためのリプレイ画像データ８９を作成する基礎データとなるリプレイデータ９０と、リプレイデータ９０のデータ変換を行う際に使用される変換テーブル９１である。これらのＤＬされたリプレイデータ９０および変換テーブル９１は、シミュレーション用計算機１７のデータデータ記録手段２１に保存される。
【０２３１】
運転訓練装置１１Ｈでは、管理端末１９からリプレイデータ９０および変換テーブル９１を作成してデータ記録手段２１に保存する。そして、演算処理手段２３が、データデータ記録手段２１に保存されるリプレイデータ９０および変換テーブル９１を用いて、リプレイ画像データ８９を作成し、シミュレーション用計算機１７のディスプレイ２５や運転訓練操作装置１８の表示部等の表示手段に出力する。
【０２３２】
図２１に発電プラント運転訓練システム１０Ｈにおけるシミュレーションデータセンタ１２Ｈの構成概略を示す構成概略図を示す。
【０２３３】
シミュレーションデータセンタ１２Ｈは、シミュレーションデータセンタ１２Ａに対し、運転訓練用ＤＢ１４が保有する運転訓練用データが異なる。具体的には、シミュレーションデータセンタ１２Ａの運転訓練用ＤＢ１４では、保有する運転訓練用データが運転訓練用データ３６Ａ，３７Ａ，３８Ａであるのに対し、シミュレーションデータセンタ１２Ｈの運転訓練用ＤＢ１４では、少なくとも１種類以上の変換テーブル９１を有する。
【０２３４】
このように構成される発電プラント運転訓練システム１０Ｈによれば、運転訓練装置１１Ｈは、ＤＬしたリプレイデータ９０および変換テーブル９１を用いて、プラント実機である実機制御装置７３の挙動を運転訓練操作装置１８の表示部やシミュレーション計算機１７のディスプレイ２５にリプレイ表示するリプレイ表示手順を実行することができる。
【０２３５】
図２２に運転訓練装置１１Ｈが行うリプレイ表示実行手順について処理行程を追って説明する処理フロー図を示す。
【０２３６】
図２２によれば、リプレイ表示実行手順は、管理端末１９にリプレイ表示を実行する初期画面を表示する初期画面表示行程（ステップＳ７１）と、リプレイデータ９０を取得するリプレイデータ取得行程（ステップＳ７２）と、変換テーブル９１を取得する変換テーブル取得行程（ステップＳ７３）と、リプレイデータ９０および変換テーブル９１を用いてリプレイ画像データ８９を生成するリプレイ画像データ生成行程（ステップＳ７４）と、リプレイ画像データ生成行程で生成されたリプレイ画像データ８９をリプレイ表示するリプレイ画像表示行程（ステップＳ７５）とを備える。
【０２３７】
このようなリプレイ表示実行手順では、まず、管理端末１９がリプレイ表示実行要求を受け付けると、ステップＳ７１で初期画面表示行程を実行する。初期画面表示行程が実行されると、管理端末１９の表示部（図を省略）に、例えば、図２３に示すような初期画面（メニュー画面）９３が表示される。管理端末１９の表示部に初期画面９３が表示されると、初期画面表示行程は完了する。
【０２３８】
図２３は、管理端末１９に表示される初期画面９３の一例である。運転訓練装置１１Ｈ側のユーザは、ＧＵＩを実現する初期画面９３からリプレイ表示実行手順における処理行程の実行を要求する各種画面を呼び出すことができる。図２３によれば、初期画面９３に表示された１〜５の５つの実行メニューをユーザが選択して実行を指定することで、管理端末１９が選択された実行メニューに対する入力操作を受け付ける画面表示を行う。
【０２３９】
初期画面９３から呼び出すことのできる画面には、リプレイデータ取得行程の実行を要求するリプレイデータ取得画面９５（図２４）と、取得したリプレイデータ９０を一覧表示するリプレイデータ一覧画面９６（図２５）と、変換テーブル取得行程の実行を要求する変換テーブル取得画面９７（図２６）と、リプレイ画像データ８９の生成を要求するリプレイ画像データ生成画面９８（図２７）と、リプレイ表示の開始を要求するリプレイ画像データ表示設定画面９９（図２８）とがある。
【０２４０】
リプレイ表示実行手順が初回の場合には、リプレイ画像データ８９は存在しない。従って、リプレイ画像データ８９を生成するために必要なリプレイデータ９０および変換テーブル９１を取得する必要がある。そこで、次に、リプレイデータ取得行程および変換テーブル取得行程を行う。
【０２４１】
図２３に示される初期画面９３からユーザがリプレイデータ取得を選択すると、図２４に示すようなリプレイデータ取得画面９５が管理端末１９に表示される。管理端末１９が、リプレイデータ９０の取得要求を受け付けると、ステップＳ７２に進み、ステップＳ７２で管理端末１９は、リプレイデータ取得行程を実行する。
【０２４２】
リプレイデータ取得行程では、管理端末１９が発電設備８５のデータ収集装置８７が収集した実測値データ８６を基礎とするリプレイデータ９０を取得する。
【０２４３】
図２９に実測値データ８６を説明する説明図を、図３０にリプレイデータ９０を説明する説明図を示す。
【０２４４】
図２９によれば、実測値データ８６は、例えば、ＰＩＤ０００、ＰＩＤ００１およびＰＩＤ００２と定義されるプラントデータ量を、例えば、１０秒等の任意時間間隔で記録した時系列データである。
【０２４５】
一方、図３０によれば、リプレイデータ９０は、実測値データ８６に対し、ＰＩＤ０００、ＰＩＤ００１およびＰＩＤ００２と定義されるプラントデータ量が、ＳＰＩＤ０００、ＳＰＩＤ００１およびＳＰＩＤ００２と定義されるシミュレーション用のプラントデータ量として定義される点で相違するが、その他の点は、実測値データ８６と同様のデータ構成となる。
【０２４６】
つまり、リプレイデータ取得行程では、まず、管理端末１９がデータ収集装置８７に格納される実測値データ８６を取得し、その後、リプレイデータ９０の表データのひな型（図３０において空欄の表データ）に対して、取得したプラントデータ量を各時間毎に記録することで、リプレイデータ９０が作成される。
【０２４７】
取得したリプレイデータ９０は、運転訓練装置１１Ｈにおけるシミュレーション計算機１７のデータ記録手段２１に記録され、保存される。取得したリプレイデータ９０がデータ記録手段２１に記録され、保存されると、ステップＳ７２のリプレイデータ取得行程を完了する。
【０２４８】
リプレイデータ取得行程が完了すると、管理端末１９から要求をしてリプレイデータ一覧表示行程を行うことができる。リプレイデータ一覧表示行程を行えば、図２５に示すようなリプレイデータ一覧画面９６として、リプレイデータ取得行程で取得したリプレイデータ９０を管理端末１９に表示させることもできる。このリプレイデータ一覧表示行程は、任意の処理行程であり、省略可能な処理行程である。
【０２４９】
次に、図２３に示される初期画面９３からユーザが変換テーブル取得画面９７を選択すると、図２６に示すような変換テーブル取得画面９７が管理端末１９に表示される。管理端末１９が、変換テーブル９１の取得要求を受け付けると、ステップＳ７３に進み、ステップＳ７３で管理端末１９は、変換テーブル取得行程を実行する。
【０２５０】
変換テーブル取得行程では、管理端末１９がシミュレーションデータセンタ１２Ｈの運転訓練用シミュレーションＤＢ１４に格納される少なくとも１以上の変換テーブル９１のうち、取得要求のあった変換テーブル９１を取得する。シミュレーションデータセンタ１２Ｈは、管理端末１９から変換テーブル９１の取得要求を受信すると、運転訓練用データ配信手順を実行して変換テーブル９１を配信する（変換テーブル配信ステップ）。
【０２５１】
図３１にシミュレーションデータセンタ１２Ｈの運転訓練用シミュレーションＤＢ１４に格納される変換テーブル９１の一例を説明する説明図を示す。
【０２５２】
図３１によれば、変換テーブル９１は、実測値データ８６のプラントデータ量（ＰＩＤ番号）、シミュレーション用のプラントデータ量（ＳＰＩＤ番号）およびプラントデータ量の名称との対応関係が記録されており、この変換テーブル９１を用いることで、例えば、ポンプ回転数や、Ｘ軸振動値といった各プラントデータ量と、各プランとデータ量の経時的な値の変化を対応させることができる。
【０２５３】
管理端末１９がシミュレーションデータセンタ１２Ｈから取得した変換テーブル９１は、運転訓練装置１１Ｈにおけるシミュレーション計算機１７のデータ記録手段２１に記録され、保存される。変換テーブル９１がデータ記録手段２１に記録され、保存されると、ステップＳ７３の変換テーブル取得行程を完了する。
【０２５４】
ステップＳ７２およびステップＳ７３が完了し、リプレイデータ９０および変換テーブル９１を取得すると、管理端末１９は、ユーザの実行要求を受けて、リプレイ画像データ生成行程を実行することができる。
【０２５５】
リプレイ画像データ生成行程は、ユーザが初期画面９３から呼び出すことができるリプレイ画像データ生成画面９８において、リプレイ画像データ８９の生成要求を入力することで実行される。ユーザが図２７に示すようなリプレイ画像データ生成画面９８を呼び出し、リプレイ画像データ生成画面９８において、リプレイ画像データ８９の生成要求を入力すると、管理端末１９がリプレイ画像データ８９の生成要求を受け付けてリプレイ画像データ８９を生成するリプレイ画像データ生成行程を実行する。
【０２５６】
リプレイ画像データ８９は、変換テーブル９１を用いてリプレイデータ９０を表示手段に表示可能なデータに変換することで作成される。作成されたリプレイ画像データ８９は、運転訓練装置１１Ｈにおけるシミュレーション計算機１７のデータ記録手段２１に記録され、保存される。リプレイ画像データ８９がデータ記録手段２１に記録され、保存されると、ステップＳ７４のリプレイ画像データ生成行程を完了する。
【０２５７】
リプレイ画像データ生成行程が完了すると、運転訓練装置１１Ｈは、リプレイ画像データ生成行程で生成されたリプレイ画像データ８９をリプレイ表示するリプレイ画像表示行程を実行することができる。
【０２５８】
リプレイ画像表示行程は、ユーザが初期画面９３から呼び出すことができるリプレイ画像データ表示設定画面９９において、生成されたリプレイ画像データ８９を再生（ＲＵＮ）することでなされる。ユーザが図２８に示すようなリプレイ画像データ表示設定画面９９を呼び出し、リプレイ画像データ表示設定画面９９において、リプレイ画像データ８９の再生（ＲＵＮ）を要求すると、管理端末１９がリプレイ画像データ８９の再生要求を受け付けてリプレイ画像データ８９を再生する。
【０２５９】
リプレイ画像データ８９の再生が開始されると、運転訓練装置１１Ｈの運転訓練操作装置１８の表示部に図３２に示すようなリプレイ画像１００が表示される。図３２によれば、リプレイ画像１００は、実機運転操作盤７２に表示される表示をイメージした画像として表示される。
【０２６０】
リプレイ画像１００が、例えば、運転訓練操作装置１８の表示部等の表示手段に表示されると、ステップＳ７５のリプレイ画像表示行程は完了する。そして、リプレイ画像表示行程の完了をもってリプレイ表示実行手順は完了する。
【０２６１】
尚、図２２に示すリプレイ表示実行手順においては、ステップＳ７２でリプレイデータ取得行程が実行されてから、ステップＳ７３で変換テーブル取得行程が実行されるが、ステップＳ７２のリプレイデータ取得行程とステップＳ７３の変換テーブル取得行程とは、順番が逆でも差し支えない。
【０２６２】
このように構成される発電プラント運転訓練システム１０Ｈによれば、運転訓練装置１１Ｈがリプレイ表示手順を実行することができる。そして、リプレイ表示手順を実行することで、実測値データ８６に基づいたリプレイデータ９０および変換テーブル９１をＤＬし、ＤＬしたリプレイデータ９０および変換テーブル９１からリプレイ画像データ８９を作成してプラント実機である実機制御装置７３の挙動をリプレイ表示することができる。
【０２６３】
従って、実際の実機制御装置７３の動作に忠実なシミュレーションを実現することができ、より実機に即した運転訓練を行うことができる。
【０２６４】
尚、運転訓練装置１１Ｈは、発電設備８５のデータ収集装置８７から実測値データ８６を取得しているが、データ収集装置８７が収集した実測値データ８６をシミュレーションデータセンタ１２Ｈで蓄積し保存するように構成し、シミュレーションデータセンタ１２Ｈから実測値データ８６を取得しても良い。
【０２６５】
また、シミュレーションデータセンタ１２Ｈが実測値データ８６を保存する場合には、シミュレーションデータセンタ１２Ｈから実測値データ８６を運転訓練装置１１Ｈに配信する実測値データ配信ステップを行う。さらに、実測値データ配信ステップで配信されるデータは、実測値データ８６の代わりにリプレイデータ９０でも良い。この場合、実測値データ配信ステップは、リプレイデータ配信ステップとなる。
【０２６６】
［第９の実施形態］
図３３は、本発明に係る第９の実施形態に係る発電プラントの運転訓練システムの一実施例である発電プラント運転訓練システム１０Ｉの構成を概略的に表した構成概略図を示す。
【０２６７】
図３３によれば、発電プラント運転訓練システム１０Ｉは、発電プラント運転訓練システム１０Ａ〜１０Ｈにおいて、運転訓練装置１１Ａ〜１１Ｈ（以下、本実施形態の説明においては、運転訓練装置１１として説明し、図２９において運転訓練装置１１と図示する。）に運転訓練用データを配信する際に課金する料金を計算する料金計算行程を実行可能に構成したことが特徴である。
【０２６８】
発電プラント運転訓練システム１０Ｉは、発電プラント運転訓練システム１０Ａ〜１０Ｈに対し、シミュレーションデータセンタ１２Ａ〜１２Ｈの代わりに、シミュレーションデータセンタ１２Ｉを具備する点で相違する。
【０２６９】
より具体的には、シミュレーションデータセンタ１２Ｉは、シミュレーションデータセンタ１２Ａ〜１２Ｈに対し、料金計算の際にＤＬ料金計算手段３３が参照する料金算出ＤＢ１０１と、ＤＬ料金計算手段３３が料金を計算した結果を記録する使用料金ＤＢ１０２とを備える点で相違する。しかしながら、その他の点は基本的に異ならない。そこで、基本的に異ならない箇所については、同じ符号を付して説明を省略する。
【０２７０】
図３４に、シミュレーションデータセンタ１２Ｉの構成を概略的に表した構成概略図を示す。
【０２７１】
シミュレーションデータセンタ１２Ｉは、シミュレーションデータセンタ１２Ａに対して、運転訓練用データサーバ２７の記録手段３０に、料金算出ＤＢ１０１と、使用料金ＤＢ１０２とを格納する。料金算出ＤＢ１０１を格納することで、ＤＬ料金計算手段３３が運転訓練用データのＤＬ料金を計算する際に料金算出ＤＢ１０１を参照することができる。そして、ＤＬ料金計算手段３３がＤＬ料金を計算した結果が、使用料金ＤＢ１０２として記録され格納される。
【０２７２】
このように構成されるシミュレーションデータセンタ１２Ｉでは、運転訓練用データ配信手順の料金計算行程を実行し、運転訓練用データを配信する運転訓練装置１１に対して課金する料金を計算することができる。また、料金計算行程には、課金方法の違いから３種類（以下、第１の料金計算行程、第２の料金計算行程および第３の料金計算行程とする。）あり、どの料金計算行程を実行するかによって計算結果が相違する。
【０２７３】
次に、運転訓練用データ配信手順の第１の料金計算行程、第２の料金計算行程および第３の料金計算行程について説明する。
【０２７４】
図３５に第１の料金計算行程の料金計算の概要を説明する説明図を、図３６に第２の料金計算行程の料金計算の概要を説明する説明図を、図３７に第３の料金計算行程の料金計算の概要を説明する説明図を示す。
【０２７５】
第１の料金計算行程とは、運転訓練装置１１に配信するデータ量に応じて課金する方法（以下、第１の料金課金方法とする）を用いて、ＤＬ料金計算手段３３が料金計算を行う処理行程である。
【０２７６】
図３５によれば、第１の料金計算行程では、まず、ＤＬ料金計算手段３３が料金算出ＤＢ１０１を参照し、運転訓練装置１１に配信するデータの種類およびデータサイズの情報を取得し、配信するデータサイズの合計を計算する（ステップＳ８１）。例えば、配信するデータの種類は、図３５に示す料金算出ＤＢ１０１のＤＬ欄１０４に「＊」が付されたデータとする。
【０２７７】
ＤＬ料金計算手段３３が、運転訓練装置１１に配信するデータの種類およびデータサイズの情報を取得すると、続いて、ＤＬ料金計算手段３３は、顧客情報ＤＢ３４を参照し、運転訓練用データを配信する配信先の顧客情報を取得する（ステップＳ８２）。
【０２７８】
ＤＬ料金計算手段３３が、配信するデータの種類およびデータサイズの情報および配信先の顧客情報を取得すると、使用料金ＤＢ１０２Ａの顧客情報の該当する顧客のデータサイズの欄に、配信するデータサイズを加算し、使用料金ＤＢ１０２Ａの情報を更新する（ステップＳ８３）。ここで、使用料金ＤＢ１０２Ａとは、第１の課金方法に対応して料金計算を行い、その結果を格納する使用料金ＤＢ１０２である。
【０２７９】
使用料金ＤＢ１０２Ａには、顧客名と料金計算式との情報が記録されており、データサイズの情報を引数として料金が算出される。従って、データサイズの情報が更新されると、料金も自動的に更新される。使用料金ＤＢ１０２のデータサイズの情報が更新され、料金が更新される（ステップＳ８３が完了する）と、第１の料金計算行程は完了する。
【０２８０】
また、第２の料金計算行程とは、運転訓練装置１１が運転訓練用データをＤＬした回数、すなわち、シミュレーションデータセンタ１２Ｉが運転訓練用データを配信した回数に応じて料金を課金する方法（以下、第２の料金課金方法とする）を用いて、ＤＬ料金計算手段３３が料金計算を行う処理行程である。
【０２８１】
図３６によれば、まず、ＤＬ料金計算手段３３が顧客情報ＤＢ３４を参照し、ＤＬ要求元の顧客情報を取得する（ステップＳ９１）。ＤＬ要求元の顧客情報を取得すると、続いて、ＤＬ料金計算手段３３は、図３６に示す使用料金ＤＢ１０２ＢのＤＬ回数に１を加算し、情報を更新する（ステップＳ９２）。ここで、使用料金ＤＢ１０２Ｂとは、第２の課金方法に対応して料金計算を行い、その結果を格納する使用料金ＤＢ１０２である。
【０２８２】
使用料金ＤＢ１０２Ｂは、図３５に示す使用料金ＤＢ１０２Ａと同様に、顧客名と料金計算式との情報が記録されており、ＤＬ回数の情報を引数として使用料金が算出される。従って、ＤＬ回数の情報が更新されると、料金も自動的に更新される。使用料金ＤＢ１０２ＢのＤＬ回数の情報が更新され、料金が更新される（ステップＳ９２が完了する）と、第２の料金計算行程は完了する。
【０２８３】
さらに、第３の料金計算行程とは、運転訓練装置１１が運転訓練用データをＤＬ可能な期間（契約期間）に応じて料金を課金する方法（以下、第３の料金課金方法とする）を用いて、ＤＬ料金計算手段３３が料金計算を行う処理行程である。
【０２８４】
図３７によれば、まず、ＤＬ料金計算手段３３が顧客情報ＤＢ３４を参照し、ＤＬ要求元の顧客の契約期間情報を取得し、使用期間の計算を行う（ステップＳ１０１）。ＤＬ料金計算手段３３が取得する契約期間情報とは、使用開始および使用終了の日時である。そして、ＤＬ料金計算手段３３は、ＤＬ要求元の顧客の契約期間情報として使用開始および使用終了の日時を取得すると、使用期間を計算する。
【０２８５】
ＤＬ要求元の顧客の契約期間情報を取得し、使用期間の計算が完了すると、続いて、ＤＬ料金計算手段３３は、図３７に示す使用料金ＤＢ１０２Ｃの使用期間に、計算結果を記録し、情報を更新する（ステップＳ１０２）。ここで、使用料金ＤＢ１０２Ｃとは、第３の課金方法に対応して料金計算を行い、その結果を格納する使用料金ＤＢ１０２である。
【０２８６】
この使用料金ＤＢ１０２Ｃは、図３５に示す使用料金ＤＢ１０２Ａと同様に、顧客名と料金計算式との情報が記録されており、使用期間の情報を引数として使用料金が算出される。従って、使用期間の情報が更新されると、料金も自動的に更新される。使用料金ＤＢ１０２Ｃの使用期間の情報が更新され、料金も更新されると、第３の料金計算行程も完了する。
【０２８７】
尚、料金課金方法には、上述した第１の料金課金方法〜第３の料金課金方法に限られるものではなく、シミュレーションデータセンタ１２Ｉ側が、任意の課金方法を採用して良い。例えば、契約期間内は、料金定額という方法を採用することもできる。この点は、使用料金ＤＢ１０２に格納する料金計算式の情報を可変させることによって様々な料金プランを実現できる。
【０２８８】
発電プラント運転訓練システム１０Ｉによれば、シミュレーションデータセンタ１２Ｉは、運転訓練装置１１に運転訓練用データを配信する際の料金を自動的に計算することができる。また、料金の課金方法も、異なる複数の方法（ここでは、第１の料金課金方法、第２の料金課金方法および第３の料金課金方法）があるので、ユーザは、運転訓練をどの程度の頻度で行うか等の運転訓練員の育成方針を勘案した上で料金課金方法を選択することができる。
【０２８９】
また、シミュレーションデータセンタ１２Ｉ側では、例えば、計算した料金をユーザに請求額として請求することができる。料金を請求されたユーザは、請求された料金の支払いを、例えば、金融機関からシミュレーションデータセンタ１２Ｉ側が指定した口座に振り込むことにより行う。料金がシミュレーションデータセンタ１２Ｉ側が指定した口座に振り込まれると、シミュレーションデータセンタ１２Ｉ側では、料金を受領することができる。
【０２９０】
尚、料金支払いの方法については、現金での送金やクレジットカードによる決済など、他の料金支払い方法を用いることもできる。
【０２９１】
［第１０の実施形態］
図３８に本発明の第１０の実施形態に係る発電プラントの運転訓練システムの一実施例である発電プラント運転訓練システム１０Ｊの構成を概略的に表した構成概略図を示す。
【０２９２】
図３８によれば、発電プラント運転訓練システム１０Ｊは、発電プラント運転訓練システム１０Ｉに対して、運転訓練装置１１およびシミュレーションデータセンタ１２Ｉの代わりに、運転訓練装置１１Ｉおよびシミュレーションデータセンタ１２Ｊを具備する点で相違するが、その他の点は基本的に異ならない。そこで、基本的に異ならない箇所については、同じ符号を付して説明を省略する。
【０２９３】
図３９に発電プラント運転訓練システム１０Ｊにおける運転訓練装置１１Ｉの構成概略を表す構成概略図を示す。
【０２９４】
運転訓練装置１１Ｉは、外部機器に対して、電子データを送信可能なデータ送信手段６３を備える運転訓練装置１１Ｃに対して、運転訓練用データの使用積算時間を計算し、計算結果をシミュレーションデータセンタ１２Ｊに送信する使用積算時間計算手段１０６をさらに備える。そして、使用積算時間計算手段１０６が運転訓練用データの使用積算時間を計算した結果は、データ記録手段２１に保存される使用積算時間ＤＢ１０７に記録され、使用積算時間の情報が更新される。
【０２９５】
尚、使用積算時間ＤＢ１０７に記録される使用積算時間とは、例えば１ヶ月等の一定期間単位に計算された期間使用積算時間とＤＬしてからの総使用時間（期間積算時間の和）である。
【０２９６】
使用積算時間の情報は、任意のタイミング（例えば、使用積算時間ＤＢ１０７の情報更新時）で、データ送信手段６３がデータ記録手段２１に格納される使用積算時間ＤＢ１０７から使用積算時間の情報を読み出して、シミュレーションデータセンタ１２Ｊに送信する。
【０２９７】
一方、シミュレーションデータセンタ１２Ｊは、図３８に示すように、シミュレーションデータセンタ１２Ｉと同様に料金算出ＤＢ１０１と、使用料金ＤＢ１０２Ｄとを格納しており、さらに、電子データを受信可能に構成されたシミュレーションデータセンタ１２Ｃと同様のデータ受信手段６５をさらに備える。ここで、使用料金ＤＢ１０２Ｄは、図３５に示す使用料金ＤＢ１０２と同様に、顧客名と料金計算式との情報が記録されており、使用積算時間の情報が更新されると、料金も自動的に更新されるように構成されたＤＢである。
【０２９８】
換言すれば、シミュレーションデータセンタ１２Ｊの構成は、シミュレーションデータセンタ１２Ｃに対して、料金算出ＤＢ１０１と、使用料金ＤＢ１０２Ｄとを運転訓練用データサーバ２７Ａの記録手段３０にさらに格納した構成である。従って、シミュレーションデータセンタ１２Ｊの構成概略図については省略する。尚、シミュレーションデータセンタ１２Ｊにおいては、運転訓練結果ＤＢ６２の有無は問わない。
【０２９９】
シミュレーションデータセンタ１２Ｊ側では、料金計算行程において、使用積算時間に応じて課金する料金の計算を行う第４の計算行程を実行する。第４の計算行程は、運転訓練装置１１Ｉのデータ送信手段６３から送信された使用積算時間の情報をデータ受信手段６５が受信する使用積算時間受信ステップと、記録手段３０に格納される使用料金ＤＢ１０２Ｄの使用積算時間の情報を更新する使用積算時間情報更新ステップと、使用料金の情報を更新する使用料金情報更新ステップとを有する。
【０３００】
シミュレーションデータセンタ１２Ｊ側で第４の計算行程がなされると、運転訓練装置１１Ｉのデータ送信手段６３から送信された使用積算時間の情報をデータ受信手段６５が受信し、記録手段３０に格納される使用料金ＤＢ１０２Ｄの使用積算時間の情報の更新を行う。そして、使用積算時間の情報が更新されると、使用料金の情報も自動的に更新される。
【０３０１】
このように構成される発電プラント運転訓練システム１０Ｊによれば、シミュレーションデータセンタ１２Ｊが、運転訓練用データの使用積算時間の情報を取得することができるので、運転訓練用データの使用積算時間に対して料金を課金する方法を採用することができる。
【０３０２】
尚、料金計算行程において、料金計算に使用する使用積算時間は、期間使用積算時間および総使用積算時間の少なくともいずれかであり、いずれを採用するかは任意である。
【０３０３】
［第１１の実施形態］
本発明に係る発電プラント運転訓練システムの一実施例である発電プラント運転訓練システム１０Ｋの構成概略を説明する。
【０３０４】
発電プラント運転訓練システム１０Ｋは、図１に示す発電プラント運転訓練システム１０と基本的には同様の構成であるが、運転訓練装置１１の代わりに運転訓練装置１１Ｊを、シミュレーションデータセンタ１２の代わりにシミュレーションデータセンタ１２Ｋを具備する。
【０３０５】
つまり、発電プラント運転訓練システム１０Ｋの構成は、図１の発電プラント運転訓練システム１０の構成概略図において、発電プラント運転訓練システム１０、運転訓練装置１１およびシミュレーションデータセンタ１２をそれぞれ、発電プラント運転訓練システム１０Ｋ、運転訓練装置１１Ｊ、シミュレーションデータセンタ１２Ｋと読み替えれば良い。従って、発電プラント運転訓練システム１０Ｋの構成概略図は、図１における符号の読み替えをもって省略する。
【０３０６】
図４０に発電プラント運転訓練システム１０Ｋにおける運転訓練装置１１Ｊの構成概略図を示す。
【０３０７】
図４０によれば、運転訓練装置１１Ｊは、運転訓練装置１１Ａに対して、シミュレータ計算機１７の代わりに、シミュレータ計算機１７Ｃを備える。このシミュレータ計算機１７Ｃは、シミュレータ計算機１７に対して、シミュレーションデータセンタ１２Ｋからの遠隔操作を実現する遠隔操作管理手段１０９をさらに備える。
【０３０８】
遠隔操作管理手段１０９は、シミュレーションデータセンタ１２Ｋから通信ネットワーク１３を経由して送信された遠隔操作情報をセキュリティ管理手段１６を介して遠隔受信する。遠隔操作管理手段１０９は、受信した遠隔操作情報をシミュレータ計算機１７Ｃの演算処理手段２３に送り、演算処理手段２３が受け取った遠隔操作情報に対応する操作を実行する。
【０３０９】
また、演算処理手段２３が遠隔操作情報として、データ採取の要求を受け取ると、演算処理手段２３は、運転訓練装置１１Ｊのデータ記録手段２１にシミュレーション状況を記録したシミュレーション状況データ１１１を作成し保存する。そして、データ記録手段２１に保存されるシミュレーション状況データ１１１を遠隔操作管理手段１０９に渡し、遠隔操作管理手段１０９は、受け取ったシミュレーション状況データ１１１をシミュレーションデータセンタ１２Ｋへ送信する。
【０３１０】
シミュレーションデータセンタ１２Ｋへ送信されたシミュレーション状況データ１１１は、シミュレーションデータセンタ１２Ｋで受信され、シミュレーションデータセンタ１２Ｋ側で報告書を作成する際の報告書データとして利用される。また、シミュレーション状況データ１１１は、改造規模等の判断にも使用することができ、保守にかかる費用を算出する際に参照される。
【０３１１】
このように構成された運転訓練装置１１Ｊでは、遠隔操作管理手段１０９がシミュレーションデータセンタ１２Ｋから送信された遠隔操作情報を遠隔受信することができるので、受信した遠隔操作情報を演算処理手段２３が受け取ることによって、遠隔操作情報に対応した操作を実行することができる。つまり、シミュレーションデータセンタ１２Ｋから遠隔で運転訓練装置１１Ｊを操作することができる。
【０３１２】
尚、シミュレータ計算機１７Ｃは、シミュレータ計算機１７に対して、遠隔操作管理手段１０９をさらに備える構成と説明したが、シミュレータ計算機１７Ｃには、シミュレータ計算機１７Ａ，１７Ｂに対して、遠隔操作管理手段１０９をさらに備える構成のシミュレータ計算機も包含されるものとする。
【０３１３】
図４１に発電プラント運転訓練システム１０Ｋにおけるシミュレーションデータセンタ１２Ｋの構成概略図を示す。
【０３１４】
シミュレーションデータセンタ１２Ｋは、運転訓練装置１１Ｊに対して、保守サービスを提供し得るように構成される。図４１によれば、シミュレーションデータセンタ１２Ｋは、シミュレーションデータセンタ１２Ｉに対して、運転訓練用データサーバ２７Ａの代わりに運転訓練用データサーバ２７Ｃを備える点で相違する。
【０３１５】
そして、運転訓練用データサーバ２７Ｃは、運転訓練用データサーバ２７に対して、遠隔操作入力手段および表示手段としての管理端末１１３と、インターネットホームページ（以下、Ｗｅｂサイトとする）または電子メールの送受信を管理するＷｅｂ／メール管理手段１１４と、運転訓練装置１１の機能を実現し保守の際のシミュレーション動作を検証する動作検証手段１１５とをさらに備える。
【０３１６】
また、シミュレーションデータセンタ１２Ｋにおいては、運転訓練用データサーバ２７ＣのＤＬ料金計算手段３３が、料金計算手段として保守サービス提供に対する料金についても計算を行う。料金計算の際には、料金算出ＤＢ１０１および後述するサービス規定データ１１８が参照され、計算結果は、使用料金ＤＢ１０２に記録され保存される。
【０３１７】
一方、運転訓練用データサーバ２７Ｃの記録手段３０には、シミュレーションデータセンタ１２Ｉにおける運転訓練用データサーバ２７の記録手段３０に対して、運転訓練装置１１の保守に関する情報を記録し格納する保守情報ＤＢ１１７と、保守サービスを提供する上での規定を記録したサービス規定データ１１８とがさらに格納される。
【０３１８】
運転訓練用データサーバ２７Ｃの記録手段３０に格納される保守情報ＤＢ１１７は、保守に関する情報として、ソフトウエアの不適合修正データ、類似の調査結果報告、ＯＳのアップデータ等のユーザの保守サービス要求に依存しない情報、すなわち、シミュレーションデータセンタ１２Ｋ側が主導となる情報を有する（以下、保守情報とする）。保守情報ＤＢ１１７が有する保守情報は、複数種類のＤＢとして格納される。
【０３１９】
保守情報ＤＢ１１７が有するＤＢには、対象ユーザ別に全ユーザ共通の保守情報を格納する共通シミュレーションＤＢ１２０と、模擬するプラントに固有の保守情報を格納するプラント固有シミュレーションＤＢ１２１と、特定のユーザに対する保守情報を格納するユーザ固有シミュレーションＤＢ１２２とがある。
【０３２０】
サービス規定データ１１８には、例えば、改造規模等のパラメータの変更程度と保守費用との関係といった保守サービスを提供する上でのサービス規定が記録される。サービス規定データ１１８は、ＤＬ料金計算手段３３が保守費用を算出する際に参照される。
【０３２１】
管理端末１１３は、シミュレーションデータセンタ１２Ｋ側の保守作業員が操作する端末である。保守作業員は、管理端末１１３から入力操作することで、遠隔にある運転訓練装置１１Ｊを操作することができる。また、入力操作に対する応答は、管理端末１１３に表示されるので、保守作業員は自分の入力操作とその応答とを確認することで保守サービスを行うことができる。
【０３２２】
また、保守作業員は、管理端末１１３からユーザ側の運転訓練装置１１Ｊを遠隔操作して、状況データとして、作成され保存されるシミュレーション状況データ１１１の採取を行うことができる。
【０３２３】
採取したシミュレーション状況データ１１１は、顧客情報ＤＢ３４に保存される。シミュレーション状況データ１１１は、シミュレーションデータセンタ１２Ｋ側で報告書を作成する際の報告書データとして利用される一方、保守情報ＤＢ１１７に類似の調査結果報告として登録される。作成された報告書は、電子メール等でユーザに送信される。
【０３２４】
Ｗｅｂ／メール管理手段１１４は、データ受信手段６５が受信した保守サービスの要求を保存し、管理する。保守サービス要求は、運転訓練装置１１Ｊ側のユーザがシミュレーションデータセンタ１２Ｋ側のＷｅｂサイトにアクセスして、アクセスしたＷｅｂサイトから通信ネットワーク１３を介して送信することができる。または、運転訓練装置１１Ｊ側のユーザが自己の電子メールアドレス等から電子メールで通信ネットワーク１３を介して送信することもできる。
【０３２５】
従って、シミュレーションデータセンタ１２Ｋ側では、Ｗｅｂ／メール管理手段１１４に保存された保守サービス要求を確認することができる。確認した保守サービス要求は、保守作業員が管理端末１１３を入力操作することにより、Ｗｅｂ／メール管理手段１１４から読み出して顧客情報ＤＢ３４に保存することができる。顧客情報ＤＢ３４への保存は、顧客別に行う。
【０３２６】
保守サービスにかかる費用は、サービス規定データ１１８に定められた規定に基づき改造規模等のパラメータを基にＤＬ料金算出手段３３が料金計算行程を行うことで算出される。
【０３２７】
料金算出行程は、顧客情報を記録した顧客情報ＤＢ３４およびサービス規定データ１１８を参照し、参照したサービス規定データ１１８に基づき、保守サービスの提供に際する料金を計算する。計算された保守費用は、保守作業員が管理端末１１３を入力操作することにより、ユーザに電子メール等で送信して請求することができる。
【０３２８】
動作検証手段１１５は、運転訓練装置１１の機能を実現したものであり、保守作業員が動作検証手段１１５を操作することにより、シミュレーションを実行することができる。従って、保守作業員は、運転訓練装置１１Ｊ側からの保守サービス要求を受け付けた後、保守サービス要求の対象となる運転訓練装置１１Ｊをシミュレーションデータセンタ１２Ｋ側から遠隔で操作してシミュレーション状況データ１１１の採取を行い、採取したシミュレーション状況データ１１１を使用してシミュレーションデータセンタ１２Ｋ側の動作検証手段１１５を操作することで、運転訓練装置１１Ｊにおけるシミュレーション動作の動作検証を行うことができる。
【０３２９】
このように構成されるシミュレーションデータセンタ１２Ｋによれば、シミュレーションデータセンタ１２Ｋから遠隔操作情報を運転訓練装置１１Ｊに伝送することができ、遠隔で運転訓練装置１１Ｊの操作を行うことができる。従って、保守作業を行う作業員を現地に派遣することなく、保守作業を行うことができる。
【０３３０】
また、シミュレーションデータセンタ１２Ｋ側に動作検証手段１１５を備えるので、ユーザ側の使用スケジュール等の制約により運転訓練装置１１Ｊを操作し得ない事情があるときであっても、シミュレーション状況データ１１１を受信して取得しておけば、動作検証手段１１５を使用して必要な調査、解析をシミュレーションデータセンタ１２Ｋ側で行うことができる。
【０３３１】
さらに、シミュレーションデータセンタ１２Ｋ側で保守情報ＤＢ１１７を構築し、運転訓練装置１１Ｊから情報の検索、閲覧、ＤＬ可能な状態におく（アップロードする）ことにより、シミュレーションデータセンタ１２Ｋ側は、運転訓練装置１１Ｊ（ユーザ）側に対し保守情報および保守サービス情報を早期かつ簡便に提供できる。
【０３３２】
一方、開設したＷｅｂサイトに、例えば、図４２に示すような運転訓練装置１１Ｊのユーザからの保守サービス要求を受け付けるページを用意することで、シミュレーションデータセンタ１２Ｋ側では、運転訓練装置１１Ｊのユーザからの保守サービス要求を随時受け付けることができる。
【０３３３】
また、運転訓練装置１１Ｊのユーザからの保守サービス要求を受け付けるページの構成を例えば、図４２に示すように、予め保守作業に必要なシミュレータ特有情報を選択式にすることで、保守作業時に必要な事項の記入漏れを防止するとともに、保守サービス要求の入力をより簡単にすることができる。尚、見積時に必要となる改造規模については改造キーワードとしてその内容、個数を、選択、入力することによって示すことが可能となる。
【０３３４】
ここで、選択式とは、ページに記載される必要なシミュレータ特有情報の各項目について、起こり得る複数の状態を事前に記載しておき、まず、それぞれの各項目について該当する状態を択一的に選択することで記入を受け付ける。そして、択一的に選択されて記入されたシミュレータ特有情報の各項目の状態をシミュレーションデータセンタ１２Ｋ側で取得する方法をいう。
【０３３５】
さらに、機能拡張、改良、不適合改修等によりソフトウェア改造作業が必要になった場合においても、シミュレーションデータセンタ１２Ｋ側から遠隔操作でソフトウェアの改造作業を行うこともできる。そして、改造後のソフトウェアは、シミュレーションデータセンタ１２Ｋ側に送信して保存することができ、必要があれば、保存した改造後のソフトウェアについても、アップロードして、運転訓練装置１１Ｊ側からＤＬ可能な状態におくこともできる。
【０３３６】
他方、ＤＬ料金計算手段３３が参照する料金算出ＤＢ１０１をＤＬ時のみではなく、保守サービス（例えば、不適合調査依頼、ソフトウェア改造依頼、サービス規定の確認依頼、見積依頼等）にも対応した形式に構築すれば、ＤＬ料金計算手段３３が保守サービスに対して課金する料金の計算を行うことができる。
【０３３７】
尚、管理端末１１３および動作検証手段１１５は、運転訓練用データサーバ２７Ｃが備えているが、シミュレーションデータセンタ１２Ｋ側に備えられているのであれば、運転訓練用データサーバ２７Ｃに備えられていなくても良い。
【０３３８】
発電プラント運転訓練システム１０Ｋによれば、運転訓練装置１１Ｊ側のユーザが運転訓練装置１１Ｊから保守サービスの要求をシミュレーションデータセンタ１２Ｋ側が開設したＷｅｂサイトまたは電子メール送信することによりシミュレーションデータセンタ１２Ｋに伝えることができる。
【０３３９】
また、シミュレーションデータセンタ１２Ｋ側では、保守サービス要求を受け付けるＷｅｂサイトのページの構成を、例えば、図４２に示すように予め保守作業に必要なシミュレータ特有情報を選択式にすることで、保守作業時に必要な事項の記入漏れを防止するとともに、保守サービス要求の入力をより簡単にすることができる。そして、見積時に必要となる改造規模については、改造キーワードとしてその内容、個数を、選択、入力することによって示すことができる。
【０３４０】
さらに、保守サービス要求を受け取ったシミュレーションデータセンタ１２Ｋ側では、保守作業を行う時に、シミュレーションデータセンタ１２Ｋから遠隔操作で運転訓練装置１１Ｊを操作することができるので、遠隔の運転訓練装置１１Ｊまで出張することなく保守作業を行うことができる。
【０３４１】
さらにまた、ユーザ側の使用スケジュール等の制約により運転訓練装置１１Ｊを遠隔操作し得ない事情がある場合においても、シミュレーションデータセンタ１２Ｋ側に動作検証手段１１５を備えるので、シミュレーション状況データ１１１を取得さえすれば、必要な調査、解析をシミュレーションデータセンタ１２Ｋ側で行うことができる。
【０３４２】
一方、ＤＬ料金計算手段３３は、運転訓練装置１１Ｊ（ユーザ）側が運転訓練用データをＤＬする際だけでなく、保守サービス提供に対して課金する料金の計算を行うことができる。
【０３４３】
また、シミュレーションデータセンタ１２Ｋ側で保守情報ＤＢ１１７を構築し、アップロードすることにより、シミュレーションデータセンタ１２Ｋ側は、運転訓練装置１１Ｊ（ユーザ）側に対し保守情報および保守サービス情報を早期かつ簡便に提供できる。
【０３４４】
他方、運転訓練装置１１Ｊ（ユーザ）側では、保守作業の必要が生じても、シミュレーションデータセンタ１２Ｋ側が調査、解析に必要なシミュレーション状況データ１１１を取得してしまえば、それ以降は、運転訓練装置１１Ｊを自由に使用することができる。
【０３４５】
また、シミュレーションデータセンタ１２Ｋ側で保守情報がアップロードされるので、必要な保守情報は、運転訓練装置１１Ｊ側で閲覧またはＤＬすることにより早期かつ簡便に取得することができる。
【０３４６】
以上、本発明に係る発電プラントの運転訓練システム、この運転訓練システムにおける運転訓練サービスおよび保守サービス提供方法によれば、予めＤＬが許可された運転訓練用データをシミュレーションデータセンタ１２からＤＬして運転訓練装置１１に保存し、運転訓練実施時には、運転訓練装置１１が保存した運転訓練用データを読み出して実行することで運転訓練を行うことができる。
【０３４７】
従って、運転訓練を行う発電プラントの種類が複数あっても、各発電プラントについての運転訓練用データをシミュレーションデータセンタ１２からＤＬしておけば、１台の運転訓練装置１１で複数種類の発電プラントの運転訓練を実施することが可能となり、運転訓練装置１１側では、設備の導入・維持・管理に必要な費用を節減することができる。
【０３４８】
また、予め必要な運転訓練用データはＤＬしておくので、運転訓練時に通信ネットワーク１３を介したデータの授受が不要となる。従って、従来の発電プラント運転訓練システムにおいて生じていた運転訓練実施中の通信コストを削減でき、発生する通信コストは、運転訓練実施前に行う運転訓練用データのＤＬ時だけとなるので、通信コストを節減することができる。
【０３４９】
さらに、従来の発電プラント運転訓練システムのように、運転訓練時にデータの授受を通信ネットワーク１３を介して行わないので、データ通信速度の変動に起因するリアルタイム性の欠乏を生じることなく、実機を想定した運転訓練として十分なリアルタイム性を確保できる。
【０３５０】
さらにまた、運転訓練装置１１側にインストラクタ端末５２を備える場合では、インストラクタ端末５２にインストラクタ制御データ６０をＤＬして記録手段５３に保存するので、ＤＬしたインストラクタ制御データ６０をインストラクタ端末５２の演算処理手段５６が、読み出すことができ、インストラクタ端末５２をインストラクタ手段として機能させることができる。
【０３５１】
尚、インストラクタ手段をシミュレーションデータセンタ１２側に備えることもできるので、運転訓練装置１１に指導員が居ない場合においても、シミュレーションデータセンタ１２側から指導員を運転訓練装置１１側に派遣することなく、運転訓練員の指導を行うことができる。つまり、シミュレーションデータセンタ１２から運転訓練装置１１に対して運転訓練のインストラクタ機能を提供することができる。
【０３５２】
一方、第３のシミュレーション実行手順（本発明に係る運転訓練システムにおける運転訓練サービス提供方法）を行えば、シミュレーションデータセンタ１２側では、シミュレーションデータセンタ１２に保存された運転訓練結果、すなわち、運転訓練結果ＤＢ６２を用いて、運転訓練員の教育履歴を管理したり、訓練結果を採点し評価することができる。
【０３５３】
また、シミュレータデータセンタ１２側で、運転訓練員の教育履歴の管理が可能となるので、運転訓練装置１１側の指導員または運転訓練員の管理者は、教育履歴データの管理をシミュレータデータセンタ１２側に代行してもらうこととなり、運転訓練装置１１側では、運転訓練員の教育に要する手間および費用を削減することができる。
【０３５４】
さらに、採点結果は、ユーザである運転訓練装置１１側の運転訓練員の指導員または管理者に通信ネットワーク１３を経由して送信することができるので、ユーザである運転訓練装置１１に通知し、提供することができる。
【０３５５】
他方、信号切替手段７５を備える場合には、実機運転操作盤７２により運転訓練における運転操作を行うことができ、より実機の即した環境下での運転訓練の実施を行うことができる。
【０３５６】
また、制御用コンピュータや制御盤を実際に備えない場合においても、制御用コンピュータを模擬する制御用コンピュータモデルデータ７９や制御盤モデルデータ８３を運転訓練装置１１にＤＬすることで、制御用コンピュータや制御盤を備えるプラントを模擬した運転訓練を行うことができる。
【０３５７】
さらに、運転訓練装置１１がリプレイ表示手順を実行することにより、プラント実機である実機制御装置７３の挙動をリプレイ表示することができる。従って、実際の実機制御装置７３の動作に忠実なシミュレーションを実現することができ、より実機に即した運転訓練を行うことができる。
【０３５８】
さらにまた、シミュレーションデータセンタ１２では、運転訓練装置１１に運転訓練用データを配信する際および運転訓練装置１１への保守サービス提供の際の料金を自動的に計算することができる。
【０３５９】
一方、シミュレーションデータセンタ１２側からの保守サービス提供の際に、シミュレーションデータセンタ１２から遠隔で運転訓練装置１１の操作を行うことができるので、保守作業を行う作業員を現地に派遣することなく、保守作業を行うことができる。
【０３６０】
また、シミュレーションデータセンタ１２側に動作検証手段１１５を備える場合には、ユーザ側の使用スケジュール等の制約により運転訓練装置１１を操作し得ない事情があるときであっても、シミュレーション状況データ１１１を受信して取得しておけば、動作検証手段１１５を使用して必要な調査、解析をシミュレーションデータセンタ１２側で行うことができる。
【０３６１】
さらに、シミュレーションデータセンタ１２側で保守情報ＤＢ１１７を構築し、運転訓練装置１１から情報の検索、閲覧、ＤＬ可能な状態におく（アップロードする）ことにより、シミュレーションデータセンタ１２側は、運転訓練装置１１（ユーザ）側に対し保守情報および保守サービス情報を早期かつ簡便に提供でき、運転訓練装置１１側は、必要な保守情報および保守サービス情報を早期かつ簡便に取得できる。
【０３６２】
さらにまた、開設したＷｅｂサイトに、運転訓練装置１１のユーザからの保守サービス要求を受け付けるページを用意することで、シミュレーションデータセンタ１２側では、運転訓練装置１１のユーザからの保守サービス要求を随時受け付けることができる。
【０３６３】
運転訓練装置１１のユーザからの保守サービス要求を受け付けるページの構成を、例えば、図４２に示すように、予め保守作業に必要なシミュレータ特有情報を選択式にすることで、保守作業時に必要な事項の記入漏れを防止するとともに、保守サービス要求の入力をより簡単にすることができる。また、見積時に必要となる改造規模については改造キーワードとしてその内容、個数を、選択、入力することによって示すことが可能となる。
【０３６４】
尚、電子データの保存される場所は、必要な処理の実行する上で妨げとならない範囲で任意に選択してできる。例えば、運転訓練結果ＤＢ６２を図外の電子データ記録手段に記録して保存したり、ＤＬした運転訓練用シミュレーションＤＢ１４を運転訓練装置１１におけるシミュレーション計算機１７のデータ記録手段２１ではなく、シミュレーション計算機１７が読み出し可能な電子データ記録手段に記録して保存していても構わない。
【図面の簡単な説明】
【０３６５】
【図１】本発明に係る発電プラント運転訓練システムの基本的なシステム構成を概略的に表す基本システム構成概略図。
【図２】本発明の第１の実施形態に係る発電プラント運転訓練システムにおける運転訓練装置の構成概略を示す構成概略図。
【図３】本発明の第１の実施形態に係る発電プラント運転訓練システムにおけるシミュレーションデータセンタの構成概略を示す構成概略図。
【図４】本発明の第１の実施形態に係る発電プラント運転訓練システムにおいて、ユーザが実施したい発電プラントの運転訓練を可能とする発電プラント運転訓練サービス提供方法について処理手順を追って説明する処理フロー図。
【図５】本発明の第２の実施形態に係る発電プラント運転訓練システムにおける運転訓練装置の構成概略を示す構成概略図。
【図６】本発明の第２の実施形態に係る発電プラント運転訓練システムにおけるシミュレーションデータセンタの構成概略を示す構成概略図。
【図７】本発明の第２の実施形態に係る発電プラント運転訓練システムにおける運転訓練装置でなされる第２のシミュレーション実行手順の処理行程について処理行程を追って説明する処理フロー図。
【図８】本発明の第３の実施形態に係る発電プラント運転訓練システムにおける運転訓練装置の構成概略を示す構成概略図。
【図９】本発明の第３の実施形態に係る発電プラント運転訓練システムにおけるシミュレータデータセンタの構成概略を示す構成概略図。
【図１０】本発明の第３の実施形態に係る発電プラント運転訓練システムにおける運転訓練装置が行う第３のシミュレーション実行手順と、シミュレーションデータセンタが行う採点結果通知手順との関係を説明する説明図。
【図１１】本発明の第３の実施形態に係る発電プラント運転訓練システムにおける運転訓練装置の構成概略を示す構成概略図。
【図１２】本発明の第４の実施形態に係る発電プラント運転訓練システムにおけるシミュレータデータセンタの構成概略を示す構成概略図。
【図１３】本発明の第４の実施形態に係る発電プラント運転訓練システムにおけるシミュレーションデータセンタでなされるインストラクタ準備手順を処理行程を追って説明する処理フロー図。
【図１４】本発明の第５の実施形態に係る発電プラント運転訓練システムにおける運転訓練装置の構成概略を示す構成概略図。
【図１５】本発明の第６の実施形態に係る発電プラント運転訓練システムにおける運転訓練装置の構成概略を示す構成概略図。
【図１６】本発明の第６の実施形態に係る発電プラント運転訓練システムにおけるシミュレータデータセンタの構成概略を示す構成概略図。
【図１７】本発明の第７の実施形態に係る発電プラント運転訓練システムにおける運転訓練装置の構成概略を示す構成概略図。
【図１８】本発明の第７の実施形態に係る発電プラント運転訓練システムにおけるシミュレータデータセンタの構成概略を示す構成概略図。
【図１９】本発明の第８の実施形態に係る発電プラント運転訓練システムのシステム構成概略を表した構成概略図。
【図２０】本発明の第８の実施形態に係る発電プラント運転訓練システムにおける運転訓練装置の構成概略を表した構成概略図。
【図２１】本発明の第８の実施形態に係る発電プラント運転訓練システムにおけるシミュレータデータセンタの構成概略を示す構成概略図。
【図２２】本発明の第８の実施形態に係る発電プラント運転訓練システムにおける運転訓練装置が行うリプレイ表示実行手順について処理行程を追って説明する処理フロー図。
【図２３】本発明の第８の実施形態に係る発電プラント運転訓練システムにおける運転訓練装置が行うリプレイ表示実行手順の初期画面表示行程において表示される初期画面の一例を説明する説明図。
【図２４】本発明の第８実施形態に係る発電プラントの運転訓練システムにおける運転訓練装置が行うリプレイ表示実行手順の初期画面表示行程を実行することによって表示される初期画面から呼び出し可能なリプレイデータ取得画面の一例を説明する説明図。
【図２５】本発明の第８実施形態に係る発電プラントの運転訓練システムにおける運転訓練装置が行うリプレイ表示実行手順の初期画面表示行程を実行することによって表示される初期画面から呼び出し可能なリプレイデータ一覧画面の一例を説明する説明図。
【図２６】本発明の第８実施形態に係る発電プラントの運転訓練システムにおける運転訓練装置が行うリプレイ表示実行手順の初期画面表示行程を実行することによって表示される初期画面から呼び出し可能な変換テーブル取得画面の一例を説明する説明図。
【図２７】本発明の第８実施形態に係る発電プラントの運転訓練システムにおける運転訓練装置が行うリプレイ表示実行手順の初期画面表示行程を実行することによって表示される初期画面から呼び出し可能なリプレイ画像データ生成画面の一例を説明する説明図。
【図２８】本発明の第８実施形態に係る発電プラントの運転訓練システムにおける運転訓練装置が行うリプレイ表示実行手順の初期画面表示行程を実行することによって表示される初期画面から呼び出し可能なリプレイ画像データ表示設定画面の一例を説明する説明図。
【図２９】本発明の第８実施形態に係る発電プラントの運転訓練システムにおいて、発電設備のデータ収集装置が収集した実測値データを説明する説明図。
【図３０】本発明の第８実施形態に係る発電プラントの運転訓練システムにおける運転訓練装置がリプレイ表示実行手順のリプレイデータ取得行程を実行することで取得するリプレイデータを説明する説明図。
【図３１】本発明の第８実施形態に係る発電プラントの運転訓練システムにおけるシミュレーションデータセンタの運転訓練用シミュレーションＤＢに格納される変換テーブルの一例を説明する説明図。
【図３２】本発明の第８実施形態に係る発電プラントの運転訓練システムにおける運転訓練装置がリプレイ表示実行手順のリプレイ画像表示行程を実行することで表示されるリプレイ画像の一例を説明する説明図。
【図３３】本発明に係る第９の実施形態に係る発電プラントの運転訓練システムの構成を概略的に表した構成概略図。
【図３４】本発明の第９実施形態に係る発電プラントの運転訓練システムにおけるシミュレーションデータセンタの構成を概略的に表した構成概略図。
【図３５】本発明に係る発電プラントの運転訓練システムにおけるシミュレーションデータセンタが実行する運転訓練用データ配信手順の料金計算行程である第１の料金計算行程の料金計算の概要を説明する説明図。
【図３６】本発明に係る発電プラントの運転訓練システムにおけるシミュレーションデータセンタが実行する運転訓練用データ配信手順の料金計算行程である第２の料金計算行程の料金計算の概要を説明する説明図。
【図３７】本発明に係る発電プラントの運転訓練システムにおけるシミュレーションデータセンタが実行する運転訓練用データ配信手順の料金計算行程である第３の料金計算行程の料金計算の概要を説明する説明図。
【図３８】本発明の第１０の実施形態に係る発電プラントの運転訓練システムの構成を概略的に表した構成概略図。
【図３９】本発明の第１０実施形態に係る発電プラントの運転訓練システムにおける運転訓練装置の構成を概略的に表した構成概略図。
【図４０】本発明の第１１実施形態に係る発電プラントの運転訓練システムにおける運転訓練装置の構成を概略的に表した構成概略図。
【図４１】本発明の第１１実施形態に係る発電プラントの運転訓練システムにおけるシミュレーションデータセンタの構成を概略的に表した構成概略図。
【図４２】本発明の第１１実施形態に係る発電プラントの運転訓練システムにおけるシミュレーションデータセンタ側で開設したＷｅｂサイトに用意されたユーザ（運転訓練装置側）からの保守サービス要求を受け付けるページの一例を説明する説明図。
【図４３】従来の発電プラントの運転訓練システムの構成概略を表すシステム構成概略図。
【符号の説明】
【０３６６】
１０（１０Ａ〜１０Ｋ）…発電プラント運転訓練システム、１１（１１Ａ〜１１Ｊ）…運転訓練装置、１２（１２Ａ〜１２Ｋ）…シミュレーションデータセンタ、１３…通信ネットワーク、１４…運転訓練用シミュレーションＤＢ、１６…セキュリティ管理手段、１７（１７Ａ〜１７Ｃ）…シミュレーション用計算機、１８…運転訓練操作装置（運転訓練操作手段）、１９…管理端末、２１…データ記録手段、２２…ＤＬデータ伝送手段、２３…演算処理手段、２４…Ｉ／Ｆ手段、２５…ディスプレイ（表示手段）、２６…セキュリティ管理手段、２７（２７Ａ〜２７Ｃ）…運転訓練用データサーバ、３０…記録手段、３１…データ伝送手段、３２…アクセス管理手段、３３…ＤＬ料金計算手段（料金計算手段）、３４…顧客情報ＤＢ、３６，３６Ａ，３６Ｂ，３６Ｃ…第１の運転訓練用データ、３７，３７Ａ，３７Ｂ，３７Ｃ…第２の運転訓練用データ、３８，３８Ａ，３８Ｂ，３８Ｃ…第３の運転訓練用データ、４３…プロセスモデルデータ、４５…ロジックモデルデータ、４６…シミュレーション制御データ、４７…Ｉ／ＯＤＢ、４８…マルファンクションＤＢ、４９…スケジューリングファイル、５２…インストラクタ端末、５３…記録手段、５４…ＤＬデータ伝送手段、５６…演算処理手段、５７…Ｉ／Ｆ手段、５８…表示手段、５９…入力手段、６０…インストラクタ制御データ、６２…運転訓練結果ＤＢ、６３…データ送信手段、６５…データ受信手段、６７…リアルタイム伝送手段、６８…インストラクタ用端末、７０…管理手段、７２…実機運転操作盤、７３…実機制御装置、７５…信号切替手段、７７…信号経路切替部、７９…制御用コンピュータモデルデータ、８１…運転操作・表示装置、８３…制御盤モデルデータ、８５…発電設備、８６…実測値データ、８７…データ収集装置、８９…リプレイ画像データ、９０…リプレイデータ、９１…変換テーブル、９３…初期画面、９５…リプレイデータ取得画面、９６…リプレイデータ一覧画面、９７…変換テーブル取得画面、９８…リプレイ画像データ生成画面、９９…リプレイ画像データ表示設定画面、１０１…料金算出ＤＢ、１０２（１０２Ａ〜１０２Ｄ）…使用料金ＤＢ、１０４…料金算出ＤＢのＤＬ欄、１０６…使用積算時間計算手段、１０７…使用積算時間ＤＢ、１０９…遠隔操作管理手段、１１１…シミュレーション状況データ、１１３…管理端末、１１４…Ｗｅｂ／メール管理手段、１１５…動作検証手段、１１７…保守情報ＤＢ、１１８…サービス規定データ、１２０…共通シミュレーションＤＢ、１２１…プラント固有シミュレーションＤＢ、１２２…ユーザ固有シミュレーションＤＢ。
【図１】
2005308808.tif 000003
【図２】
2005308808.tif 000004
【図３】
2005308808.tif 000005
【図４】
2005308808.tif 000006
【図５】
2005308808.tif 000007
【図６】
2005308808.tif 000008
【図７】
2005308808.tif 000009
【図８】
2005308808.tif 000010
【図９】
2005308808.tif 000011
【図１０】
2005308808.tif 000012
【図１１】
2005308808.tif 000013
【図１２】
2005308808.tif 000014
【図１３】
2005308808.tif 000015
【図１４】
2005308808.tif 000016
【図１５】
2005308808.tif 000017
【図１６】
2005308808.tif 000018
【図１７】
2005308808.tif 000019
【図１８】
2005308808.tif 000020
【図１９】
2005308808.tif 000021
【図２０】
2005308808.tif 000022
【図２１】
2005308808.tif 000023
【図２２】
2005308808.tif 000024
【図２３】
2005308808.tif 000025
【図２４】
2005308808.tif 000026
【図２５】
2005308808.tif 000027
【図２６】
2005308808.tif 000028
【図２７】
2005308808.tif 000029
【図２８】
2005308808.tif 000030
【図２９】
2005308808.tif 000031
【図３０】
2005308808.tif 000032
【図３１】
2005308808.tif 000033
【図３２】
2005308808.tif 000034
【図３３】
2005308808.tif 000035
【図３４】
2005308808.tif 000036
【図３５】
2005308808.tif 000037
【図３６】
2005308808.tif 000038
【図３７】
2005308808.tif 000039
【図３８】
2005308808.tif 000040
【図３９】
2005308808.tif 000041
【図４０】
2005308808.tif 000042
【図４１】
2005308808.tif 000043
【図４２】
2005308808.tif 000044
【図４３】
2005308808.tif 000045